(57)【特許請求の範囲】
【請求項１】
それぞれ無線通信によりデータを受信可能な第１および第２の無線受信手段と、
前記第１の無線受信手段により受信したデータの送信元と同じ装置から前記第２の無線受信手段がデータを受信したことに応答して、前記第２の無線受信手段の受信したデータにより定められる処理を、前記第１の無線受信手段の受信したデータに対して行なうための第１のデータ処理手段とを含み、
前記第１の無線受信手段の受信する前記データは所定の暗号鍵により暗号化されており、
前記第１のデータ処理手段は、前記第１の無線受信手段により受信したデータの送信元と同じ装置から前記第２の無線受信手段がデータを受信したことに応答して、前記第２の無線受信手段の受信したデータを暗号鍵として前記第１の無線受信手段の受信した前記データを復号化するための手段を含む、データ処理装置。
【請求項２】
前記第１の無線受信手段は電波による無線受信装置を含み、前記第２の無線受信手段は赤外線受信装置を含む、請求項１に記載のデータ処理装置。
【請求項３】
前記第１の無線受信手段は第１の変調方式により変調された赤外線を受信する第１の赤外線受信装置を含み、
前記第２の無線受信手段は前記第１の変調方式と異なる第２の変調方式により変調された赤外線を受信する第２の赤外線受信装置を含む、請求項１に記載のデータ処理装置。
【請求項４】
前記第１の無線受信手段による伝送速度は、前記第２の無線受信手段の伝送速度よりも大きな、請求項１に記載のデータ処理装置。
【請求項５】
前記第１の無線受信手段が受信し、さらに前記復号化するための手段により復号化されたデータを記憶するためのデータ記憶手段と、
前記第２の無線受信手段が所定の制御指示信号を受信したことに応答して、前記データ記憶手段に記憶されたデータに対し、前記制御指示信号により指示される処理を実行するための第２のデータ処理手段とをさらに含む、請求項１に記載のデータ処理装置。
【請求項６】
前記第１の無線受信手段の受信するデータは所定の再生方式にしたがって再生可能で、かつ、暗号化されたコンテンツデータを含み、
前記データ処理装置はさらに、前記第１のデータ処理手段が処理した前記コンテンツデータを再生するための再生手段を含む、請求項１に記載のデータ処理装置。
【請求項７】
前記データ処理装置はさらに、前記第１のデータ処理手段が処理した前記コンテンツデータを記録し、所定の指示が与えられると前記再生手段に与えて再生させるためのコンテンツデータ記録手段を含む、請求項６に記載のデータ処理装置。
【請求項８】
それぞれ無線通信によりデータを受信可能な第１および第２の無線受信手段と、
前記第１の無線受信手段により受信したデータの送信元と同じ装置から前記第２の無線受信手段がデータを受信したことに応答して、前記第２の無線受信手段の受信したデータにより定められる処理を、前記第１の無線受信手段の受信したデータに対して行なうための第１のデータ処理手段とを含むデータ処理装置であって、
前記第１の無線受信手段の受信するデータは所定の再生方式にしたがって再生可能なコンテンツデータを含み、
前記データ処理装置はさらに、
前記第１のデータ処理手段が処理した前記コンテンツデータを再生するための再生手段と、
前記第１のデータ処理手段が処理した前記コンテンツデータを記録し、所定の指示が与えられると前記再生手段に与えて再生させるためのコンテンツデータ記録手段と、
前記第１の無線受信手段が受信し前記コンテンツデータ記録手段に記録されたデータが動画データであるか否かを判定するための判定手段と、
前記判定手段により、前記第１の無線受信手段が受信し前記コンテンツデータ記録手段に記録されたデータが動画データであると判定されたことに応答して、前記第１の無線受信手段が受信したデータから１または複数のサムネール画像を一覧形式で並べたサムネール選択画面を作成して所定の表示装置に与えて表示させるための手段と、
前記第２の無線受信手段により、前記１または複数のサムネール画像のいずれかを指定するサムネール指定情報が与えられたことに応答して、前記コンテンツデータ記録手段に記録された動画データに基づき、当該サムネール画像に対応する位置から前記動画データの再生を開始し前記表示装置に与えるための手段とを含む、データ処理装置。
【請求項９】
ビデオレコーダ装置であることを特徴とする、請求項７〜請求項８のいずれかに記載のデータ処理装置。
【発明の詳細な説明】
【技術分野】
【０００１】
この発明は、携帯情報端末に格納されているデータを他機器で利用するためのシステムに関し、特に、カメラ付携帯電話機、通信機能付ＰＤＡ（Ｐｅｒｓｏｎａｌ  Ｄｉｇｉｔａｌ  Ａｓｓｉｓｔａｎｔ）、またはデジタルカメラ等、携帯型で何らかの情報を取得したり作成したりすることが可能であるが、情報の表示・再生機能に限界がある装置に格納されている情報を、テレビジョン受像機またはオーディオ機器等、より高度な表示・再生機能を有する装置で手軽に利用できるようにするシステムに関する。
【背景技術】
【０００２】
携帯電話機の多機能化が進んでいる。携帯電話機の多機能化を象徴するのが、デジタルカメラ・液晶表示装置・インターネットアクセス機能付の携帯電話機である。こうした携帯電話機によれば、デジタルカメラで撮影した画像を携帯電話機に備えられた電子メール送信機能で携帯電話網・インターネットを経由して友人に送信することができる。さらに、音楽の再生機能を有する携帯電話機も普及しており、インターネット上から音楽データを携帯電話機にダウンロードし、携帯電話機を携帯型の音楽プレーヤとして使用することも普通になりつつある。【０００３】
一方、メモリの大容量化が進み、携帯電話機に記憶できるデータ容量も飛躍的に大きくなっている。携帯電話機に写真・音楽等の電子データを保存しておき、外出先でそうした電子データを再生して楽しむという使い方をするユーザも多い。【０００４】
ところがそうした場合、携帯電話機の機能特性により装置の大きさが制限されることによる問題がある。例えば携帯電話機の液晶表示装置は小型であり、大勢に画像を見せようとする場合等には不便である。この問題は液晶表示装置の解像度が大きくなってもその絶対的な大きさが変わらない以上、今後も変わらず残る問題である。また音楽の場合であれば、大型のスピーカを携帯電話機に搭載することができない。そのため、ヘッドフォンを用いるか、小型のスピーカによる貧弱な再生音で我慢するかという選択を強いられる。【０００５】
そこで、そうした問題を解決するための工夫が種々なされている。【０００６】
後掲の特許文献１には、ネットワークを通じてプリンタにファイルを送信し、プリンタでは、受信したファイルからヘッダに記載されたファイル種別および印刷書式情報を抽出して、その情報にしたがった設定により印刷を行なう方法が開示されている。携帯電話機からこのプリンタにデータを送る場合、印刷対象が文字データの場合と、画像データの場合とで、異なるヘッダを作成し送信する。このようにして文字データと画像データとをそれぞれの印刷に適した設定で印刷できる。【０００７】
特許文献２には、外部機器からデータを受取るための複数のデータ入力ポートを有し、印刷データがどのポートを介して受信されたかに応じて印刷時の設定を変更するプリンタが開示されている。特許文献２はさらに、一つのポートを通し、複数通りのデータ転送用プロトコルでデータを受信することが可能なデータ受信手段を開示している。このデータ受信手段でデータを受信した場合、このプリンタはどのプロトコルを用いたかによって印刷時の設定を変更する。例えば携帯電話機から文書データをこのプリンタに送信する場合、文書データ転送プロトコルを用い、画像を送信する場合には画像データ転送プロトコルを用いる。プリンタでは、文書データ転送プロトコルで転送されたデータの印刷には文書印刷用の設定を用い、画像データ転送プロトコルで転送されたデータの印刷には画像印刷の設定を用いる。【０００８】
特許文献３には、携帯電話機を用いてネットワークを通じてカラオケデータをダウンロードし、そのカラオケデータをさらに赤外線を通じて携帯電話機からカラオケの再生装置に送信することが開示されている。通信手段を有する携帯電話機によってカラオケデータを入手し、さらにそのデータをカラオケの再生装置に送信することにより、携帯電話機の貧弱な画面および音声再生機能ではなく、より性能のよい再生装置でカラオケを楽しむことができる。
【特許文献１】特開２０００−１０７４５
【特許文献２】特開２００４−１５４９６０
【特許文献３】特開２００４−１７７５８６
【発明の開示】
【発明が解決しようとする課題】
【０００９】
しかし上記したいずれの発明においても、例えば何らかの処理を行なっている装置に対し何らかの情報を送信し処理させるときには、その前に受信側の装置を適切な状態に設定する必要がある。例えばプリンタにデータを送信する際には、他のプリンタからのデータ印刷を完了しておく必要がある。またテレビジョン（以下「ＴＶ」）放送の表示を行なっているＴＶ受像機の場合にも、入力先を変更する必要がある。【００１０】
しかし、例えば携帯電話機で添付ファイルを受信し、その添付ファイルを大きな画面で見ようとする場合、上記したような準備作業を行なうのは面倒な作業である。特に携帯電話機のようにどこでも使用できる携帯情報端末を使用していてテレビジョン受像機に電子メールの添付ファイルを表示させようとしたりする場合、わざわざテレビジョン受像機の前までいくか、テレビジョン受像機のリモコンを探して所定の状態に設定するという作業を行なう必要がある。【００１１】
また、データを送信する宛先の装置以外に、データを受信する機能を持つ装置が存在する場合、誤って別の装置にデータを送信してしまう危険性もある。さらに、本来はデータを送るべきでない装置に送ってしまった結果、何らかの不都合が生じる可能性もある。【００１２】
したがって本発明の一つの目的は、簡略な作業で携帯情報端末等に保持されているデータを所望の受信装置に送信し適切に処理できるようなデータ処理装置およびそのためのコンテンツデータ送信装置を提供することである。【００１３】
この発明の他の目的は、簡略な作業で、携帯情報端末等に保持されているデータを所望の受信装置に安全に送信し適切に処理できるようなデータ処理装置およびそのためのコンテンツデータ送信装置を提供することである。【００１４】
この発明のさらに他の目的は、簡略な作業で、携帯情報端末等に保持されているデータを所望の受信装置に安全に送信し、受信装置側で煩雑な作業をすることなく適切に処理できるようなデータ処理装置およびそのためのコンテンツデータ送信装置を提供することである。
【課題を解決するための手段】
【００１５】
本発明の第１の局面によれば、データ処理装置は、それぞれ無線通信によりデータを受信可能な第１および第２の無線受信手段と、第１の無線受信手段により受信したデータと同じ装置から第２の無線受信手段がデータを受信したことに応答して、第２の無線受信手段の受信したデータにより定められる処理を第１の無線受信手段の受信したデータに対して行なうための第１のデータ処理手段とを含む。【００１６】
第１の無線受信手段により受信したデータと同じ装置から第２の無線受信手段がデータを受信すると、第２の無線受信手段の受信したデータにしたがって第１の無線受信手段の受信したデータに対する処理が実行される。データ処理装置側で処理方法を指定したりすることなく、データを送信する側で処理対象のデータの送信とそれに対する処理とを指定できる。【００１７】
本発明の第２の局面によれば、データ処理装置は、それぞれ短距離無線通信によりデータを受信可能な第１および第２の無線受信手段と、第２の無線受信手段がデータを受信したことに応答して、第２の無線受信手段の受信したデータにより定められる処理を、第１の無線受信手段の受信したデータに対して行なうための第１のデータ処理手段とを含む。【００１８】
第２の無線受信手段がデータを受信すると、第２の無線受信手段の受信したデータにしたがって第１の無線受信手段の受信したデータに対する処理が実行される。データ処理装置側で処理方法を指定したりすることなく、第２の無線受信手段に対するデータ送信者が、第１の無線受信手段の受信したデータに対する処理を指定できる。【００１９】
好ましくは、第１のデータ処理手段は、第２の無線受信手段がデータを受信したことに応答して、第２の無線受信手段の受信したデータにより定められる処理を、第１の無線受信手段において直前に受信した一連のデータに対して行なうための手段を含む。【００２０】
一連のデータが第１の無線受信手段により受信された後、第２の無線受信手段がデータを受信すると、第１の無線受信手段により受信された一連のデータに対する処理が実行される。処理対象データの受信の完了と、それに対する処理との対応が確実に判定でき、適切な処理を行なうことができる。また、第１の無線受信手段が受信したデータに対するユーザの記憶が新しいうちに、処理を指定することができる。【００２１】
より好ましくは、第１のデータ処理手段は、第１の無線受信手段によるデータの受信と同時並行的に第２の無線受信手段がデータを受信したことに応答して、第２の無線受信手段の受信したデータにより定められる処理を第１の無線受信手段の受信したデータに対して行なうための手段を含む。【００２２】
両者のデータは同時並行的に受信されるので、処理対象データのデータ容量が大きくて第１の無線受信手段によるデータ受信が完了しなくても第２の無線受信手段の受信したデータから処理内容を判定でき、必要な処理を行なうことができる。【００２３】
さらに好ましくは、第１の無線受信手段と第２の無線受信手段とは、互いに異なる種類の無線通信媒体を使用する。【００２４】
例えば第１の無線受信手段は電波による無線受信装置を含み、第２の無線受信手段は赤外線受信装置を含む。【００２５】
第１の無線受信手段は指向性のない電波によってデータを受信できるので、送信する側の装置の位置および姿勢にかかわらず、安定してデータ受信を行なうことができる。また指向性の高い赤外線によって第２の無線受信手段が制御用のデータを受信するので、他の装置で誤って制御用の信号が受信される可能性を低くすることができる。【００２６】
さらに好ましくは、第１の無線受信手段と前記第２の無線受信手段とは、同じ種類の無線通信媒体を使用し、かつ互いに異なる変調方式を用いる。【００２７】
互いに異なる無線通信媒体を使用するので、第１の無線受信手段による通信と第２の無線受信手段による通信とは互いに区別して使用でき、互いのデータが混信したりすることはない。【００２８】
より好ましくは、第１の無線受信手段は第１の変調方式により変調された赤外線を受信する第１の赤外線受信装置を含み、第２の無線受信手段は第１の変調方式と異なる第２の変調方式により変調された赤外線を受信する第２の赤外線受信装置を含む。【００２９】
第１の無線受信手段と第２の無線受信手段とがともに赤外線を使用する場合でも、変調方式が互いに異なるので送信データの受信に混乱が生じるおそれはない。【００３０】
さらに好ましくは、第１の無線受信手段による伝送速度は、第２の無線受信手段の伝送速度よりも大きい。【００３１】
一般的に処理対象となるデータのデータ量は、処理内容を指示するデータと比較してはるかに大きい。処理対象となるデータを送信する第１の無線受信手段による伝送速度を大きくすることで、より短い時間でデータ送信を完了できる。また第２の無線受信手段では、任意のタイミングで制御データの送信が発生する可能性が高いがデータ量は小さいので、伝送速度の小さな方式を用いることができる。【００３２】
第１の無線受信手段の受信する情報は所定の暗号鍵により暗号化されており、第１のデータ処理手段は、第２の無線受信手段の受信したデータを暗号鍵として第１の無線受信手段の受信した情報を復号化するための手段を含んでもよい。【００３３】
第１の無線受信手段が用いる伝送媒体が指向性のないものである場合、他の装置で処理対象のデータが受信される可能性がある。しかしデータを暗号化しておくことで、他の装置では仮にデータを受信してもその内容を知ることはできない。また、指向性の高い第２の無線受信手段で暗号鍵を送信するので、他の装置でこの鍵を受信する可能性は極めて低く、データ伝送の宛先であるデータ処理装置でのみデータを復号化し処理でき、データ伝送の安全を確保できる。【００３４】
好ましくは、データ処理装置は、第１の無線受信手段が受信したデータを記憶するためのデータ記憶手段と、第２の無線受信手段が所定の制御指示信号を受信したことに応答して、データ記憶手段に記憶されたデータに対し、制御指示信号により指示される処理を実行するための第２のデータ処理手段とをさらに含む。【００３５】
受信したデータを直ちに処理するだけでなく、一旦記憶しておき、第２の無線受信手段が受信した制御指示信号によって後に処理を実行できる。大きなデータを何度も送る必要なく、一度の伝送でデータに対する処理を任意のときに実行できる。【００３６】
より好ましくは、第１の無線受信手段の受信するデータは所定の再生方式にしたがって再生可能なコンテンツデータを含み、データ処理装置はさらに、第１のデータ処理手段が処理したコンテンツデータを再生するための再生手段を含む。【００３７】
コンテンツデータを受信すると、第２の無線受信手段が受信したデータにしたがい、再生手段によりそのコンテンツが再生される。データ処理装置の側で再生指示をする必要がない。【００３８】
さらに好ましくは、データ処理装置はさらに、第１のデータ処理手段が処理したコンテンツデータを記録し、所定の指示が与えられると再生手段に与えて再生させるためのコンテンツデータ記録手段を含む。【００３９】
受信したコンテンツデータを直ちに処理するだけでなく、一旦記録しておき、所定の指示によって後に処理を実行できる。大きなコンテンツデータを何度も送る必要なく、一度の伝送でコンテンツデータを任意のときに再生できる。【００４０】
データ処理装置はさらに、第１の無線受信手段が受信しコンテンツデータ記録手段に記録されたデータが動画データであるか否かを判定するための判定手段と、判定手段により、第１の無線受信手段が受信しコンテンツデータ記録手段に記録されたデータが動画データであると判定されたことに応答して、第１の無線受信手段が受信したデータから１または複数のサムネール画像を一覧形式で並べたサムネール選択画面を作成して所定の表示装置に与えて表示させるための手段と、第２の無線受信手段により、１または複数のサムネール画像のいずれかを指定するサムネール指定情報が与えられたことに応答して、コンテンツデータ記録手段に記録された動画データに基づき、当該サムネール画像に対応する位置から動画データの再生を開始し表示装置に与えるための手段とをさらに含んでもよい。【００４１】
第１の無線受信手段が動画データを受信すると、サムネール選択画面が作成され、表示装置に表示される。このサムネール画像のいずれかを指定すると、動画データのうち、指定されたサムネール画像に対応する個所からの再生が開始される。動画データが長い場合でも、興味の低い個所の再生を飛ばし、興味のある部分から再生できる。送信側でサムネール画像を予め作成したりする必要はない。【００４２】
好ましくは、データ処理装置は、ビデオレコーダ装置である。【００４３】
本発明の第３の局面によれば、データ処理装置は、無線通信により第１の種類のコンテンツデータを受信可能な無線受信手段と、所定のコンテンツ供給源から第２のコンテンツデータを受信するためのコンテンツ受信手段と、無線受信手段の受信した第１の種類のコンテンツデータを受ける第１の入力と、コンテンツ受信手段の受信した第２の種類のコンテンツデータを受ける第２の入力とを有し、無線受信手段が第１の種類のコンテンツデータを受信したことに応答して、第１の入力への入力を選択して出力するためのデータ選択手段とを含む。【００４４】
無線受信手段が第１の種類のコンテンツデータを受信すると、データ選択手段によりその第１の種類のコンテンツデータが選択され出力される。コンテンツ受信手段が受信していた第２の種類のコンテンツが出力されていたとしても自動的に無線受信手段が受信した第１の種類のコンテンツデータの出力が行なわれる。データ処理装置の側であらためて無線受信手段が受信した第１の種類のコンテンツデータの出力を指示する必要がなく、手軽に他装置からコンテンツデータをこのデータ処理装置に送信して所定の出力先に出力できる。【００４５】
好ましくは、無線受信手段は電波による無線受信装置を含む。【００４６】
指向性のない電波によってデータを受信できるので、送信する側の装置の位置および姿勢にかかわらず、安定してデータ受信を行なうことができる。【００４７】
より好ましくは、無線受信手段は赤外線受信装置を含む。【００４８】
指向性の高い赤外線によってデータを受信するので、他の装置で誤って制御用の信号が受信される可能性を低くすることができる。【００４９】
さらに好ましくは、無線受信手段が受信する第１の種類のコンテンツデータは、コンテンツを構成する主データと、当該主データの属性情報とを含み、無線受信手段は、無線通信により第１の種類のコンテンツデータを受信するための手段と、受信するための手段が受信した第１のコンテンツデータからその属性情報を抽出するための属性情報抽出手段と、無線受信手段が受信した第１の種類のコンテンツデータのうちの主データを、属性情報抽出手段が抽出した属性にしたがって処理し、データ選択手段の第１の入力に与えるためのデータ処理手段とを含む。【００５０】
主データとして種々の種類が想定される場合、属性情報によって主データの種類にしたがって適切な処理を実行することができる。データ処理装置の利用者が主データの種類に応じて適切な処理を選択する必要はない。【００５１】
データ処理手段は、属性情報抽出手段が抽出した属性情報が所定の値であることに応答して、無線受信手段が受信した第１の種類のコンテンツデータのうちの主データに対し、属性情報により定まる展開処理を行なうためのデータ展開手段と、データ展開手段が展開した主データが複数個のデータ項目を含んでいることに応答して、複数個のデータ項目の各々に付随する属性情報にしたがった処理を複数個のデータ項目に対して実行するための手段とを含んでもよい。【００５２】
属性情報が所定の値であると判定されると、データ展開手段により当該主データが自動的に展開される。展開されたデータが複数のデータ項目を含む場合には、さらにそれら複数個のデータ項目の各々に付随する属性情報にしたがった処理が実行される。データ処理装置の利用者が、主データが圧縮データであるか否か、展開されたデータ項目の属性情報がどのようなものであるか、について知る必要なく、複数のデータを受信し適切に処理できる。【００５３】
好ましくは、コンテンツ受信手段はＴＶ放送のチューナを含む。【００５４】
通常、利用者はＴＶ放送を見ているときに主データの受信があった場合、ＴＶ放送から主データの表示への切替を手動で行なう必要はない。データの送信と表示等の処理を簡単な操作で手際よく実現できる。【００５５】
本発明の第４の局面によれば、コンテンツデータ送信装置は、複数のコンテンツデータを記憶するためのコンテンツデータ記憶手段と、コンテンツデータ記憶手段に記憶されたコンテンツデータのいずれかを選択するためのコンテンツデータ選択手段と、コンテンツデータ選択手段により選択されたコンテンツデータを所定の第１の無線媒体によって送信するための第１の無線送信手段と、第１の無線送信手段により送信されるコンテンツデータに対して実行されるべき処理に関連する所定の制御情報を決定するための制御情報決定手段と、制御情報決定手段により決定された制御情報を、第１の無線媒体と異なる第２の無線媒体によって送信するための第２の無線送信手段とを含む。【００５６】
所望のコンテンツデータと、当該コンテンツデータに対して実行すべき処理に関連する所定の制御情報とを決定し、二つの無線送信手段を用いて同時に送信できる。このデータを受信した受信装置では、これら情報を用いてコンテンツデータに対し適切な処理を行なうことができる。この二つのデータの双方を受信した受信装置でなければ、コンテンツデータに対し適切な処理を行なうことができない。例えばコンテンツデータを暗号化し、制御情報としてこの暗号化のための暗号鍵を送信すれば、コンテンツデータの秘密を保ちながら、所望の宛先にコンテンツデータを送信できる。【００５７】
好ましくは、コンテンツデータ送信装置はさらに、コンテンツデータを所定の無線媒体を用いた通信により取得し、コンテンツデータ記憶手段に記憶させるための無線通信手段を含む。【００５８】
コンテンツデータを取得し記憶させておくことで、後にそれらの中から任意のものを選んで他の装置に送信できる。【００５９】
さらに好ましくは、無線受信手段は、携帯電話網による通信を行なうものであることを特徴とする。【００６０】
携帯電話網を介してコンテンツデータを取得できるので、多様なソースから多様なコンテンツデータを取得し、所望の宛先に送信することができる。【００６１】
より好ましくは、第２の無線送信手段は赤外線を用いた送信手段を含む。【００６２】
指向性の高い赤外線によってデータを受信するので、他の装置で誤って制御用の信号が受信される可能性を低くすることができる。【００６３】
コンテンツデータ選択手段は、コンテンツデータ記憶手段に記憶された複数のコンテンツデータの中から、ユーザ操作に基づいて複数のコンテンツを選択するための複数コンテンツ選択手段と、複数コンテンツ選択手段により選択された複数のコンテンツを所定の統合方法にしたがって一つに統合して第１の無線送信手段に与えるための統合手段とを含んでもよい。【００６４】
複数のデータを一まとめにして送信できるので、複数のデータを送るために何度も同じ操作をする必要はない。【００６５】
本発明の第５の局面によれば、コンテンツデータ送信装置は、複数個のコンテンツデータを記憶するためのコンテンツデータ記憶手段と、コンテンツデータ記憶手段に記憶されたコンテンツデータを所定の順番で選択するためのコンテンツデータ選択手段と、コンテンツデータ選択手段により選択されたコンテンツデータを所定の無線媒体によって送信するための無線送信手段とを含む。【００６６】
コンテンツデータを受信すると直ちにそのコンテンツデータを再生する機能を有する装置に、上記した機能を用いてコンテンツデータを所定の順番で送信すると、宛先の装置ではいわゆるスライドショーのように、複数のコンテンツデータが次々に再生される。受信する側の装置がスライドショーのような機能を持たない場合でも、擬似的にスライドショー的な効果を実現できる。【００６７】
さらに好ましくは、コンテンツデータ選択手段は、所定の時間間隔をおいて、コンテンツデータ記憶手段に記憶されたコンテンツデータを前記所定の順番で選択し、無線送信手段に与えるための手段を含む。【００６８】
この装置によれば、コンテンツデータを再生する機能を有する装置において、いわゆるスライドショーのように、複数のコンテンツデータが次々に所定の時間間隔で再生される。受信する側の装置が一定時間でコンテンツデータを切替えて表示するスライドショーのような機能を持たない場合でも、擬似的にスライドショー的な効果を実現できる。【００６９】
好ましくは、コンテンツデータ送信装置は携帯電話機、携帯情報端末またはデジタルカメラである。【００７０】
携帯電話機、携帯情報端末またはデジタルカメラによって上記コンテンツデータ送信装置を実現することにより、例えば外出先等においても、所定のデータ処理機能（例えばコンテンツデータの再生機能）を持つ受信装置があれば、携帯電話機、携帯情報端末またはデジタルカメラに格納されているコンテンツまたは携帯情報端末でのみ取得可能なコンテンツを受信装置に送信し、再生等の適切な処理を実行させることができる。【００７１】
以上のように本発明によれば、データ処理装置側で処理方法を指定したりすることなく、データを送信する側で処理対象のデータの送信とそれに対する処理とを指定できる。両者のデータは同時並行的に受信されるので、処理対象データのデータ容量が大きくて第１の無線受信手段によるデータ受信が完了しなくても第２の無線受信手段の受信したデータから処理内容を判定でき、必要な準備を行なうことができる。また、受信側の装置であらためて処理を指定する必要はない。【００７２】
さらに、処理対象となるデータを送信する第１の無線受信手段による伝送速度を大きくすることで、より短い時間でデータ送信を完了できる。【００７３】
データを暗号化して第１の無線送信手段で送信し、指向性の高い第２の無線受信手段で暗号鍵を送信すると、他の装置でこの鍵を受信する可能性は極めて低く、データ伝送の安全を確保できる。【００７４】
また、大きなデータを何度も送る必要なく、一度の伝送でデータに対する処理を任意のときに実行できる。【００７５】
本発明の他の局面によれば、データ処理装置の側であらためて第１の無線受信手段が受信したコンテンツデータの出力を指示する必要がなく、手軽に他装置からコンテンツデータをこのデータ処理装置に送信して所定の出力先に出力できる。【００７６】
また主データとして種々の種類が想定される場合、属性情報によって主データの種類にしたがって適切な処理を実行することができる。データ処理装置の利用者が主データの種類に応じて適切な処理を選択する必要はない。【００７７】
主データが圧縮されたものである場合、データ処理装置の利用者が圧縮に関する情報について知る必要なく、複数のデータを受信し適切に処理できる。【００７８】
本発明のさらに他の局面によれば、所望のコンテンツデータと、当該コンテンツデータに対して実行すべき処理に関連する所定の制御情報との二つのデータの双方を受信した受信装置でなければ、コンテンツデータに対し適切な処理を行なうことができない。コンテンツデータの秘密を保ちながら、所望の宛先にコンテンツデータを送信できる。【００７９】
コンテンツデータ選択手段が、所定の時間間隔をおいて、コンテンツデータ記憶手段に記憶されたコンテンツデータを選択し、第１の無線送信手段に与えるための手段を含むようにしてもよい。この場合、コンテンツデータを受信すると直ちにそのコンテンツデータを再生する機能を有する装置において、スライドショーのような機能を持たない場合でも、擬似的にスライドショー的な効果を実現できる。【００８０】
携帯電話機または携帯情報端末によって上記コンテンツデータ送信装置を実現することにより、例えば外出先等においても、所望のコンテンツを受信装置に送信し、再生等の適切な処理を実行させることができる。
【図面の簡単な説明】
【００８１】
【図１】第１の実施の形態に係る情報システム５０の概略構成を示す図である。
【図２】第１の実施の形態に係る情報システム５０の動作の概略を説明する模式図である。
【図３】第１の実施の形態に係る携帯電話機６４のブロック図である。
【図４】携帯電話機６４で実行されるプログラムの主要部分のフローチャートである。
【図５】ｈｔｍｌファイルの圧縮について模式的に示す図である。
【図６】画像の保存画面の例を模式的に示す図である。
【図７】複数の画像の保存画面の例を模式的に示す図である。
【図８】第１の実施の形態に係るハードディスク付ＤＶＤレコーダ７０のブロック図である。
【図９】ハードディスク付ＤＶＤレコーダ７０で実行されるプログラムの主要部分のフローチャートである。
【図１０】図９に示すデータ再生処理のフローチャートである。
【図１１】第２の実施の形態に係る情報システム４００の概略構成を示す図である。
【図１２】第２の実施の形態に係る情報システム４００の動作の概略を示す模式図である。
【図１３】第２の実施の形態における動画のサムネール表示について模式的に示す図である。
【図１４】第２の実施の形態に係る携帯電話機４０２のブロック図である。
【図１５】携帯電話機４０２において実行されるプログラムの主要部分のフローチャートである。
【図１６】第２の実施の形態に係るハードディスク付ＤＶＤレコーダ４１０のブロック図である。
【図１７】ハードディスク付ＤＶＤレコーダ４１０で実行されるプログラムの主要部分のフローチャートである。
【図１８】図１７に示すコンテンツ処理のフローチャートである。
【図１９】第３の実施の形態に係る情報システム５５０の概略構成を示す図である。
【図２０】第３の実施の形態に係るデジタルカメラ５６０のブロック図である。
【図２１】第３の実施の形態に係るデジタルカメラ５６０で実行されるスライドショーのためのプログラムのフローチャートである。
【符号の説明】
【００８２】
５０，４００，５５０  情報システム、６０  コンテンツサーバ、６２  携帯電話網およびインターネット、６４，４０２  携帯電話機、６６，４０４  コンテンツ再生システム、６８  ＩｒＤＡ通信、７０，４１０  ハードディスク付ＤＶＤレコーダ、７２  ケーブル、７４  モニタ、８０，１６２  ＩｒＤＡ通信部、８２，５７２  赤外線受信部、９０，９２，９４  画像、１００，４３０  蓋部、１０２，４３２  本体、１１０  液晶表示装置、１４２  ４方向プッシュスイッチ、１４４  ファンクションキー、１４６  基本キー、１６０  無線通信部、１６４  画像データ生成部、１６６，３０４  主データ記憶部、１６８  属性記憶部、１７０，３０８，４２４，４６０，５７０  制御部、１７２，３０６  データ展開部、１７４  データ表示部、１７６，３１８，５７６  入力部、１９０  撮像部、１９２  データ圧縮部、１９４  属性生成部、２００  データ処理部、２０２  データバッファ、３００  属性記憶部、３０２  属性判定部、３１０  コンテンツ処理部、３１２  ＴＶチューナ、３１４，４２８  画像合成・切替部、３１６  電源回路、３２０  音声切替部、４０６  無線、４０８  赤外線、４２０，４５０  無線ＬＡＮ通信部、４２２  データ復号化処理部、４２６  サムネール画像作成部、４４０  動画データ、４５２  暗号鍵作成部、４５６  赤外線送信部、４５８  暗号化処理部、５６０  デジタルカメラ、５６２  リモコン、５７４  タイマ
【発明を実施するための最良の形態】
【００８３】
以下、本発明を３つの実施の形態によって説明する。以下の説明では、同じ部品には同じ参照符号を付してある。それらの名称および機能も同一である。したがって、それらについての詳細な説明を繰返すことはしない。【００８４】
なお、以下の実施の形態および特許請求の範囲の記載において、データの「再生」とは、静止画像データの表示、動画データの再生またはその一部を静止画にしたものの表示、音楽データからの音声信号の生成等を指すものとする。【００８５】
［第１の実施の形態］
−概略−
図１に、本発明の第１の実施の形態に係る情報システム５０の概略構成を示す。図１を参照して、この情報システム５０は、携帯電話網およびインターネット６２を介してインターネット上のコンテンツサーバ６０（典型的にはＷＥＢサーバまたはメールサーバ）から画像９０等のコンテンツ（または写真等のコンテンツデータを添付ファイルとして持つ電子メールデータ）をダウンロードする機能、デジタルスチルカメラによって画像を撮像する機能、およびＩｒＤＡ（Ｉｎｆｒａｒｅｄ  Ｄａｔａ  Ａｓｓｏｃｉａｔｉｏｎ）通信６８によりデータを伝送する機能を有する携帯電話機６４と、携帯電話機６４からＩｒＤＡ通信６８により表示または再生が可能なコンテンツデータを受信すると、コンテンツデータの表示または再生を開始する機能を持つコンテンツ再生システム６６とを含む。【００８６】
コンテンツ再生システム６６は、ハードディスク付ＤＶＤ（Ｄｉｇｉｔａｌ  Ｖｅｒｓａｔｉｌｅ  Ｄｉｓｋ）レコーダ７０と、ケーブル７２によりハードディスク付ＤＶＤレコーダ７０に接続されたモニタ７４とを含む。【００８７】
携帯電話機６４は、携帯電話網およびインターネット６２を介してコンテンツサーバ６０から画像９０等をダウンロードし、画像９２等として保存する機能を持つ。さらに携帯電話機６４は、画像９２等、自己が保有しているコンテンツのうち、ユーザにより指定されたものをＩｒＤＡ通信６８を介してハードディスク付ＤＶＤレコーダ７０に送信する機能を持つ。【００８８】
ハードディスク付ＤＶＤレコーダ７０は、ＩｒＤＡ通信６８を受信するための、フォトディテクタを含むＩｒＤＡ通信部８０と、リモートコントローラ（以後「リモコン」と称する。）からの赤外線通信を受信するための、フォトディテクタを含む赤外線受光部８２とを有する。ハードディスク付ＤＶＤレコーダ７０は、ＩｒＤＡ通信部８０を介してコンテンツを受信したことに応答し、そのコンテンツが自己で処理可能なものであれば対応の機能を起動してそのコンテンツを表示したり再生したりする。ここではＩｒＤＡ通信部８０および赤外線受光部８２の二つの通信部を記載したが、異なる二つの通信方式を受信可能であれば物理的な通信部は一つであってもかまわない。【００８９】
ハードディスク付ＤＶＤレコーダ７０はまた、ＴＶチューナを内蔵しており、通常はＴＶ放送を受信して指定されたチャンネルの番組をモニタ７４にケーブル７２を介して与える。しかし、ＩｒＤＡ通信部８０が何らかのコンテンツを受信すると、表示している番組からコンテンツ表示または再生の動作に自動的に切替わる。図１に示す例では、例えばハードディスク付ＤＶＤレコーダ７０がＩｒＤＡ通信部８０を介して携帯電話機６４から画像９２のデータを受信すると、モニタ７４の表示面にこの画像データを画像９４として再生・表示する。【００９０】
図２を参照して、携帯電話機６４の操作のための構成と、上記した動作を行なう際の携帯電話機６４に対するユーザの操作とを説明する。図２を参照して、携帯電話機６４は、概略長方形の平面形状を有する本体１０２と、液晶表示装置１１０を有し本体１０２の一辺にヒンジを介して回動可能に取付けられた蓋部１００とを含む。【００９１】
本体１０２の操作面上には、０〜９までの数字および記号「＃」「＊」を入力するためのテンキー１４０と、画面表示にあわせて種々の機能が割当てられるファンクションキー１４４と、センタープッシュボタン付の４方向プッシュスイッチ１４２と、電源キー、発呼キー等からなる基本キー１４６とが設けられている。【００９２】
液晶表示装置１１０には、中央に画像９２等のコンテンツが表示され、４隅に前、次、終了、送信等の指示メッセージ１２２、１２４、１２６、１２８が表示される。ファンクションキー１４４には、これら指示メッセージ１２２、１２４、１２６、１２８により表示される機能がそれぞれプログラムにより割当てられる。【００９３】
ユーザが画像表示を選択すると、図２に示すように画像が表示される。ユーザが指示メッセージ１２２、１２４の指示にあわせてファンクションキー１４４を使用して送信したい画像を選択し、さらに「送信」を指示すると、そのとき液晶表示装置１１０に表示されている画像が圧縮されＩｒＤＡ通信６８を介してハードディスク付ＤＶＤレコーダ７０に伝送され、さらにモニタ７４に画像９４等として再生・表示される。【００９４】
以後、上に述べたような動作を行なう情報システム５０を構成する携帯電話機６４およびハードディスク付ＤＶＤレコーダ７０の構成について説明する。【００９５】
−携帯電話機６４の構成−
図３に、携帯電話機６４の構成をブロック図形式で示す。図３を参照して、携帯電話機６４は、携帯電話網を介して他の携帯電話機と通信したり、携帯電話網およびインターネットを通じてインターネット上のサーバと通信を行なったりするための無線通信部１６０と、赤外線による通信を行なうためのＩｒＤＡ通信部１６２と、無線通信部１６０を介して受信したり、無線通信部１６０を介して送信したりする主データを記憶する主データ記憶部１６６と、無線通信部１６０を介して受信したデータまたは携帯電話機６４が取得したデータの属性を記憶するための属性記憶部１６８と、画像データを生成するための画像データ生成部１６４とを含む。主データはファイル本体であることが多い。属性情報としてはデータのファイル名、作成日時、作成者、フォーマット種類、サイズ、コンテンツ時間等がある。【００９６】
画像データ生成部１６４は、デジタルスチル画像またはデジタルムービーを撮影しデジタルデータを生成するための撮像部１９０と、撮像部１９０が取得したデジタルデータを圧縮し主データ記憶部１６６に記憶させるためのデータ圧縮部１９２と、撮像部１９０が取得したデジタルデータの属性を示すデータを生成し、属性記憶部１６８に記憶させるための属性生成部１９４とを含む。属性生成部１９４が生成する属性は、例えば画像の形式を示すＪＰＧ、ＧＩＦ、ＰＮＧ、ＭＰＧ、ＭＯＶ等のいわゆる拡張子で表す。【００９７】
携帯電話機６４はさらに、無線通信部１６０が受信し主データ記憶部１６６に記憶された受信データが圧縮されたものである場合、および撮像部１９０が撮像しデータ圧縮部１９２により圧縮されたデータであって主データ記憶部１６６に記憶されていたデータを、属性記憶部１６８に記憶された当該データの属性にしたがって展開するためのデータ展開部１７２と、データ展開部１７２により展開されたデータを表示するためのデータ表示部１７４と、ユーザによる操作入力を受けるための入力部１７６と、入力部１７６から与えられたユーザ指示に基づき、所定のプログラムにしたがって携帯電話機６４内の各機能部を制御するとともに、携帯電話機６４内におけるデータの移動を制御するための制御部１７０とを含む。通常、画像等であれば例えばＪＰＥＧ等の形式で圧縮されていることが多く、その場合にはデータ展開部１７２による展開が行なわれる。テキスト等、展開が不要なデータもある。そうした場合にはデータ展開部１７２はデータの展開は行なわない。【００９８】
データ表示部１７４は、図１、図２にも示す液晶表示装置１１０と、データ展開部１７２により展開されたデータを制御部１７０から与えられる表示設定にしたがって液晶表示装置１１０に表示するために加工（拡大・縮小等）するためのデータ処理部２００と、データ処理部２００が出力する表示データを格納し液晶表示装置１１０に与えて表示させるためのデータバッファ２０２とを含む。データバッファ２０２はまたデータ圧縮部１９２の入力にも接続されており、データバッファ２０２の内容をデータ圧縮部１９２が圧縮することもできる。この機能は、後述するように液晶表示装置１１０に表示された画像データそのものをハードディスク付ＤＶＤレコーダ７０に対して送信する際に用いられる。【００９９】
上記した制御部１７０の制御機能およびその他の各機能部の機能は、携帯電話機６４がハードウェアとして持つ図示しないＣＰＵ（中央演算処理装置）により実行されるプログラムにより実現される。図４に、そのプログラムのメインルーチンの制御構造をフローチャート形式で示す。なお図４に示すフローチャートは、携帯電話機６４の機能のうちでも本発明に関連する部分のみを抽出したものであり、例えば通常の通話、インターネット経由の電子メール受信等のためのプログラム部分については省略してある。【０１００】
図４を参照して、このプログラムがスタートすると、ユーザの入力待ちとなる（ステップ２１０）。ユーザの入力を受取ると、その入力の種類に応じていくつかのルーチンに分岐する。本実施の形態では、ユーザの入力として画像データ等の選択、画像の拡大・縮小指示、ハードディスク付ＤＶＤレコーダ７０への画像データ等の送信処理、及びハードディスク付ＤＶＤレコーダ７０に対する画像データ等の保存指示情報があり、プログラムの流れはこの入力に応じてステップ２２０、２２４、２４０、または２３０に分岐する。【０１０１】
ステップ２２０以下はデータ選択時の処理である。まずステップ２２０では、選択されたデータをその属性に応じて展開する。さらにステップ２２２において、そのときの表示設定にしたがって液晶表示装置１１０上に表示・再生する。ステップ２２２の処理が終了した後、ステップ２１０に戻る。【０１０２】
ステップ２２４以下は画像の拡大・縮小の指示を受けた場合の処理である。まずステップ２２４において、既に展開が済み液晶表示装置１１０に表示されている画像のデータに対し、ユーザからの指示にしたがった拡大・縮小処理を行なう。さらに、このようにして拡大・縮小されたデータをステップ２２６において液晶表示装置１１０上に表示・再生する。ステップ２２６の後、ステップ２１０に戻る。【０１０３】
ステップ２４０以下は、現在表示されている画像データを無線通信部１６２を用いてハードディスク付ＤＶＤレコーダ７０に送信するための処理である。ステップ２４０において、送信が指示されたコンテンツが、既にハードディスク付ＤＶＤレコーダ７０に対し送信済か否かを判定する。送信済であればステップ２４８に進み、未送信であればステップ２４２に進む。【０１０４】
ステップ２４２において、画像データを送信する前に当該画像データを圧縮する必要があるか否かを判定する。圧縮する必要がなければステップ２４６に、あればステップ２４４に、それぞれ進む。【０１０５】
ここでの圧縮が必要になる例としては以下のようなものがある。例えば３００万画素の静止画を撮って、その一部を拡大した場合、液晶表示装置１１０の表示には例えば３０万画素分の静止画が表示されている状況になり得る。このときに送信を指示すると、３００万画素の元の静止画を送ることと、今表示している３０万画素の静止画を送ることとが考えられる。元画像は通常ＪＰＥＧで圧縮されているが、現在表示している３０万画素の画像は圧縮されていない。したがって、３０万画素の静止画を送る場合には、ここで新たに３０万画素の画像を圧縮して送信する。この処理により、液晶表示装置１１０で表示されているものと同じ画像が短時間で送信可能になる。【０１０６】
ステップ２４４では画像データの圧縮を行ない、その圧縮形式を示す属性データを作成後、ステップ２４６に進む。図５に、別のデータ圧縮が有効な典型的な場合を示す。図５を参照して、携帯電話機６４が表示しているデータがｈｔｍｌ（ハイパーテキスト・マークアップ・ランゲージ）文書２５０であるものとする。周知のようにｈｔｍｌ文書は、テキスト２６０からなるが、静止画・動画・音声ファイル等に対するリンクをこのテキスト２６０内の所望の個所に埋込むことができる。ｈｔｍｌ文書を受取った装置（例えば携帯電話機６４）は、ｈｔｍｌ文書を表示可能なプログラム（ブラウザ）を起動し、ブラウザが当該装置の表示装置上にｈｔｍｌ文書を表示する。このときブラウザは、ｈｔｍｌ文書内に埋め込まれたリンクに遭遇すると、当該リンクにより指定されるＵＲＬ（Ｕｎｉｆｏｒｍ  Ｒｅｓｏｕｒｃｅ  Ｌｏｃａｔｏｒ）によって特定されるファイル（静止画・動画・音声ファイル等）をアクセスしダウンロードして、当該ｈｔｍｌ文書内に所定形式で組込んで表示する。図５に示す例では、画像２６２および２６４がこのようにしてテキスト２６０の中に組込まれ表示されている。【０１０７】
ユーザが携帯電話機６４で表示しているｈｔｍｌ文書をハードディスク付ＤＶＤレコーダ７０に送信しようとする場合、ｈｔｍｌファイルのみを送信するのではなく、当該ｈｔｍｌ文書に組込まれた画像ファイル等も同時に送信することが望ましい。そこで、本実施の形態ではこのようにｈｔｍｌファイル中にＵＲＬが組込まれている場合、当該ＵＲＬからダウンロードされたファイルもｈｔｍｌファイルとまとめて圧縮し、一つのファイルとして送信する。図５に示す例では、ｈｔｍｌ文書２５０を構成するテキスト２６０に加えて画像２６２、２６４に対応する画像ファイルがまとめて例えばｚｉｐ形式で圧縮された送信ファイル２７０が作成され送信される。送信ファイル２７０は、テキスト２６０、画像２６２および２６４に対応する画像ファイルにそれぞれ対応するｈｔｍｌテキスト２８０、画像ファイル２８２および２８４を圧縮形式で含む。【０１０８】
再び図４を参照して、ステップ２４６では、圧縮されたコンテンツと圧縮後のファイルの属性データ、または圧縮前のコンテンツとその属性データとをＩｒＤＡ通信部１６２を介して送信する。送信が終了するとステップ２１０に戻る。【０１０９】
一方、ステップ２４８では、ハードディスク付ＤＶＤレコーダ７０に、送信済のコンテンツを指定する情報を送信する。具体的には、当該コンテンツのコンテンツＩＤをハードディスク付ＤＶＤレコーダ７０に送る。または現在ハードディスク付ＤＶＤレコーダ７０において再生中のコンテンツを基準とし、送信すべきコンテンツが、再生中のコンテンツに対し前または後にいくつ移動したものかを調べてその情報をハードディスク付ＤＶＤレコーダ７０に送る。この情報をコンテンツ移動情報と呼ぶ。例えば、一連の画像ファイルのように、通し番号が付されたファイルの場合にコンテンツ移動情報を使用できる。この後、制御はステップ２１０に戻る。【０１１０】
ユーザの入力がコンテンツ保存を指示する入力であるとステップ２１２で判定された場合、ステップ２３０において、ユーザにより選択されたコンテンツを確定する処理が行なわれる。ステップ２３２では、確定されたコンテンツを指定する情報（コンテンツ指定情報）を作成する。ステップ２３４では、このコンテンツ指定情報を含む保存指示情報を作成する。作成された保存指示情報がステップ２３６においてハードディスク付ＤＶＤレコーダ７０に対し送信される。この後、制御はステップ２１０に戻る。【０１１１】
図６に、画像等のコンテンツをハードディスク付ＤＶＤレコーダ７０に保存する際に携帯電話機６４に表示される画面例を示す。携帯電話機６４の表示画面に写真等のコンテンツ２９０が表示されているときに、そのうちの一つを確定させ、携帯電話機６４の所定のキーを操作すると、図６に示す画面が表示される。この画面には、コンテンツ２９０の他に、画像を保存するか否かを指定するための二つのボタン２９１（「はい」）及び２９２（「いいえ」）が表示される。ボタン２９１を押すと、後述するようにこのコンテンツを指定した保存指示情報がハードディスク付ＤＶＤレコーダ７０に送信されこの画像がコンテンツ記憶部３２２に保存される。ボタン２９２を押すと保存処理は中止される。【０１１２】
複数のコンテンツが表示されているときに、それらのうちの任意の１又は複数を指定してコンテンツの保存を指定することもできる。図７にそうしたときの携帯電話機６４の表示画面の例を示す。図７を参照して、画像表示欄２９３に複数個の画像のサムネール２９４、２９６、…が表示されているものとする。これらサムネールには例えばチェックボックス２９５、２９７、…を付しておく。任意のサムネールのチェックボックスをチェックした後、ボタン２９１を押すと、チェックされた複数のサムネールに対応するコンテンツを保存する指示が携帯電話機６４からハードディスク付ＤＶＤレコーダ７０に送信される。応じてハードディスク付ＤＶＤレコーダ７０では、指定されたコンテンツが保存される。ボタン２９２を押すと保存処理は中止される。【０１１３】
なお、図示しないが、それぞれのコンテンツには保存許可／不許可の属性が設定可能となっている。不許可の属性が設定されているコンテンツについては、主データ記憶部３０４からコンテンツ記憶部３２２に転送され保存されることはない。またその場合には、制御部１７０は、保存が許可されないことをユーザに対し示す表示を行なうように構成されている。【０１１４】
−ハードディスク付ＤＶＤレコーダ７０の構成−
図８に、図１に示すハードディスク付ＤＶＤレコーダ７０の機能的構成をブロック図形式で示す。なお図８では、ハードディスク付ＤＶＤレコーダ７０の各機能部のうち、本発明に関連のない部分の図示は省略してある。【０１１５】
図８を参照して、ハードディスク付ＤＶＤレコーダ７０は、前述したＩｒＤＡ通信部８０および赤外線受光部８２に加え、ＩｒＤＡ通信部８０が受信したデータおよびＩｒＤＡ通信部８０を介して送信されるデータ等を記憶する主データ記憶部３０４と、ＩｒＤＡ通信部８０が受信したデータの属性を記憶するための属性記憶部３００と、属性記憶部３００が記憶している属性に基づいて、受信されたデータがハードディスク付ＤＶＤレコーダ７０で処理可能なものか否かを判定するための属性判定部３０２と、属性判定部３０２により展開可能と判定された受信データを主データ記憶部３０４から読出して展開するためのデータ展開部３０６とを含む。【０１１６】
ハードディスク付ＤＶＤレコーダ７０はさらに、ＴＶチューナ３１２と、ＴＶチューナ３１２により受信されたＴＶ番組のコンテンツデータに対し所定の処理を行なうためのコンテンツ処理部３１０とを含む。コンテンツ処理部３１０が行なう処理は、例えば、デジタル放送を受信する場合であれば、ＭＰＥＧ２のトランスポートストリームを抽出して、ＭＰＥＧ２をデコードし画像と音声とを生成すること等の処理を含む。【０１１７】
ハードディスク付ＤＶＤレコーダ７０はさらに、ユーザによる操作入力を受けるための入力部３１８と、赤外線受光部８２を介して図示しないリモコンから受ける制御データ、入力部３１８を介してユーザから受ける操作入力、ＩｒＤＡ通信部８０を介してコンテンツデータを受け展開したデータ展開部３０６からの信号等に応答し、ハードディスク付ＤＶＤレコーダ７０内の各機能部の制御を行なってモニタ７４に送る画像信号および音声信号を生成するための制御部３０８と、データ展開部３０６からの画像信号およびコンテンツ処理部３１０からの画像信号を受ける二つの入力を持ち、制御部３０８からの制御にしたがってデータ展開部３０６からの画像信号とコンテンツ処理部３１０からの画像信号とを切替えたり、一方からの画像信号を他方の画像信号内に小画面として合成したりする処理を行なうための画像合成・切替部３１４と、データ展開部３０６からの音声信号およびコンテンツ処理部３１０からの音声信号を受ける二つの入力を持ち、制御部３０８からの制御にしたがってデータ展開部３０６からの音声信号とコンテンツ処理部３１０からの音声信号とを切替えて出力する処理を行なうための音声切替部３２０と、制御部３０８からの制御にしたがって、主データ記憶部３０４に記憶されているデータ又は制御部３０８の処理したデータを記憶するための、ハードディスク又はＤＶＤドライブからなるコンテンツ記憶部３２２と、制御部３０８からの制御にしたがってハードディスク付ＤＶＤレコーダ７０を構成する各部に電源電圧を供給するための電源回路３１６とを含む。【０１１８】
赤外線受信部８２が受信する制御データにより、ＩｒＤＡ通信部８０でのデータ受信をオン、オフしたり、受信したデータの展開を許可、禁止したり、表示の切替を行ったり、受信したコンテンツの表示、拡大、及び縮小等を指示したりすることができる。【０１１９】
本実施の形態では、主電源がオフとなっている場合であっても、ＩｒＤＡ通信部８０、赤外線受光部８２、属性記憶部３００、属性判定部３０２、主データ記憶部３０４、データ展開部３０６および制御部３０８には電源電圧が供給されており、ＩｒＤＡ通信部８０の受信したデータがコンテンツデータであってハードディスク付ＤＶＤレコーダ７０による再生処理が可能なものであることがデータ展開部３０６の展開結果から判明したときには、制御部３０８はたとえ主電源がオフの場合であっても電源回路３１６を制御して電源をオンする制御を行なう。【０１２０】
制御部３０８はまた、以下のような機能を持つ。前述したとおり、主電源がオフの場合であってもコンテンツデータを受信すると自動的にハードディスク付ＤＶＤレコーダ７０とモニタ７４との電源をオンとする。ユーザが携帯電話機６４から送信したデータをモニタ７４により表示・再生することができる。ユーザがハードディスク付ＤＶＤレコーダ７０およびモニタ７４の電源を手操作によりオンすることは不要である。さらに、仮にＴＶチューナ３１２が受信した放送データを画像合成・切替部３１４および音声切替部３２０で選択してモニタ７４に表示している場合、データ展開部３０６がコンテンツデータを受信したと判定すると制御部３０８は、画像合成・切替部３１４および音声切替部３２０を制御してそれぞれデータ展開部３０６からの画像信号および音声信号を選択させる。したがって、モニタ７４の画面に他の放送番組が表示されている場合でも、ＩｒＤＡ通信部８０を介して携帯電話機６４からコンテンツデータを受信すると受信したコンテンツデータの表示・再生が自動的に開始される。さらに、ＩｒＤＡ通信部８０を介して携帯電話機６４から主データ記憶部３０４に記憶されているコンテンツを指定した保存指示情報を受信すると、制御部３０８は指定されたコンテンツをコンテンツ記憶部３２２に格納する。【０１２１】
なお、コンテンツデータを受信したときに、放送による番組の表示からコンテンツデータの表示・再生への完全な切替を行なうか、放送による番組を小画面としコンテンツデータの表示画面に合成して表示するかは制御部３０８を用いて設定できる。【０１２２】
ハードディスク付ＤＶＤレコーダ７０のうち制御部３０８の機能の主要部は、ハードディスク付ＤＶＤレコーダ７０を構成するハードウェアの一部であるＣＰＵ（図示せず）と、当該ＣＰＵにより実行されるコンピュータプログラムとにより実現される。図９に本実施の形態のハードディスク付ＤＶＤレコーダ７０で利用されるコンピュータプログラムのメイン処理のフローチャートを示す。ここでも、本発明と直接関連を持たない機能に関連するプログラム部分の記載は省略してある。【０１２３】
図９を参照して、まずステップ３３０においてＩｒＤＡ通信部８０がデータを正常に受信したか否かを判定する。もし正常に受信していればステップ３３２に進み、さもなければステップ３３６に進む。ステップ３３２では、受信したデータの属性情報をチェックする。属性情報が適切なものであればステップ３３４に進む。さもなければステップ３３６に進む。【０１２４】
ステップ３３４では、受信したデータのうちの主データ（コンテンツデータ）のチェックを行なう。ここでは、データ量が大きすぎたり、全部のデータを受信していなかったりして、ハードディスク付ＤＶＤレコーダ７０で処理できないかどうかをチェックする。もしも主データが正常であればステップ３３８に進む。さもなければステップ３３６に進む。【０１２５】
ステップ３３８ではデータ再生処理が実行される。この内容については図１０を参照して後述する。一方ステップ３３６では、ステップ３３０、３３２、および３３４の各ステップで行なわれた判断の結果にしたがってエラーメッセージが表示される。この表示の後、ステップ３３０に戻り次のデータの受信を待つ。【０１２６】
図１０に、図９に示したステップ３３８で行なわれるデータ再生処理の詳細なフローチャートを示す。ここでは、受信データの属性によって処理を選択する。音楽であれば音楽再生ソフトを呼出し、映像であれば映像再生ソフトを呼出して、それぞれコンテンツに対する処理（表示、再生、演奏等）を行なう。図１０を参照して、まずステップ３４０で受信データの属性が何かを判定し、その結果にしたがって以下のいずれかのステップに分岐する。すなわち、属性が保存指示情報を示すものであればステップ３４２に、画像・動画データを示すものであればステップ３５２に、コンテンツの切替指示を示すものであればステップ３７０に、オーディオデータを示すものであればステップ３８０に、圧縮データであることを示すものであればステップ３９０に、それぞれ進む。それ以外の場合には図９に示すステップ３３６に進み、エラーメッセージを表示して次のデータ受信を行なう。【０１２７】
受信データが保存指示情報である場合、以下のような制御が実行される。すなわち、ステップ３４２において、受信した保存指示情報から、どのコンテンツを保存するかを指定するコンテンツ指定情報を取得する。ステップ３４４で、指定されたコンテンツを主データ記憶部３０４から取得し、ステップ３４６でコンテンツ記憶部３２２に保存する。このとき、必要であればハードディスク付ＤＶＤレコーダ７０の電源を投入する。【０１２８】
受信データが画像・動画データである場合、以下のような制御が実行される。すなわち、ステップ３５２においてハードディスク付ＤＶＤレコーダ７０およびモニタ７４（以後、両者を指すときは、便宜のためにまとめてＴＶ受像機と呼ぶ。）の電源がオンしているか否かが判定される。オンしていればステップ３５６に進むが、オフしている場合にはステップ３５４でＴＶ受像機の電源をオンした後ステップ３５６に進む。この電源オンにより、ハードディスク付ＤＶＤレコーダ７０だけでなくモニタ７４の電源もオンする。【０１２９】
ステップ３５６では、受信データを展開する。ステップ３５８では、展開後の画像データを調べ、表示サイズがモニタ７４の表示画面と比較して大きすぎないか否かを判定する。すなわちステップ３５８ではサイズチェックを行なう。ステップ３６０では、ステップ３５８での判定結果により画像の大きさをモニタ７４の画面の大きさに合わせる必要があればリサイズを行なう処理が実行される。【０１３０】
ステップ３６２では、ＴＶ受像機においてＴＶ放送の表示が行なわれているか否かについての判定が行なわれる。ＴＶ放送の表示が行なわれていればステップ３６６に進み、行なわれていなければステップ３６４に進む。【０１３１】
ステップ３６６では、それまで受信していた放送を小画面にして合成して表示する設定がされているか否かについての判定が行なわれる。判定結果がＹＥＳであればステップ３６８で番組を小画面で表示しながら画像と合成して表示する処理が行なわれる。もしそうした設定が行なわれていなければ、ステップ３６９で放送画面からコンテンツの画像データ表示に画面の切替が実行され、コンテンツの表示が実行される。ステップ３６８および３６９の後、データ再生処理を終了する。【０１３２】
一方、ステップ３６４では、受信したコンテンツの表示および再生を行ない、表示および再生が終了するとデータ再生処理を終了する。【０１３３】
ステップ３４０で、受信したデータがオーディオデータであると判定されると、ステップ３８０でＴＶ受像機の電源がオンしているか否かの判定が行なわれる。もしもＴＶ受像機の電源がオンしていなければステップ３８２でＴＶ受像機の電源をオンする。その後ステップ３８４でオーディオデータを展開し、ステップ３８６で展開されたオーディオデータの再生をＴＶ受像機で開始して処理を終了する。【０１３４】
ステップ３４０で、受信したデータがコンテンツ切替指示であると判定されると、ステップ３７０で、新たに再生すべきコンテンツを指定するコンテンツ指定情報をコンテンツ切替指示から取得する。ステップ３７２で、このコンテンツ指定情報が、コンテンツＩＤか、時刻情報か、コンテンツ移動情報か、を判定する。コンテンツ指定情報がコンテンツＩＤであればステップ３７４に、時刻であればステップ３７６に、コンテンツ移動情報であればステップ３７８に、それぞれ進む。【０１３５】
ステップ３７４では、コンテンツ指定情報により指定されたコンテンツＩＤを持つコンテンツを主データ記憶部３０４から取得する。この後、ステップ３４０に戻りコンテンツの種類に応じた処理を実行する。ステップ３７６では、コンテンツ指定情報により指定された時刻の近辺でハードディスク付ＤＶＤレコーダ７０が表示していたコンテンツを主データ記憶部３０４から取得する。そしてステップ３４０に戻り、取得されたコンテンツの種類に応じた処理を実行する。ステップ３７８では、コンテンツ移動情報により指定された回数分だけ、現在表示中のコンテンツに対し前または後のコンテンツを主データ記憶部３０４から取得する。そしてステップ３４０に戻り、取得されたコンテンツの種類に応じた処理を行なう。【０１３６】
ステップ３４０で、受信したデータが圧縮データであると判定されると、ステップ３９０で当該受信データを圧縮形式にしたがって展開する処理が実行される。この展開により複数のファイルが得られることもある。例えば対象ファイルがｈｔｍｌ文書を圧縮したものであるような場合である。展開後のファイルはそれぞれ展開前のデータ属性とは異なる属性を持つため、それら適切な属性情報をこれらファイルに付して主データ記憶部１６６に記憶させる。さらに、ステップ３９２において、展開後のファイル（複数のファイルが得られたときはその中から所定の規則にしたがって選択したファイル。例えばｈｔｍｌ文書の場合であればｈｔｍｌテキスト）を表示・再生対象に選択して再度ステップ３４０での判定処理を実行する。この判定により、展開後のデータがその属性にしたがって適切に処理される。なお、圧縮ファイルを展開した後、同種のファイルが複数個得られる場合もある（例えば画像ファイル等）。そうした場合には、得られたファイルを全て同時に表示することも可能である。【０１３７】
なお、ファイル中にハードディスク付ＤＶＤレコーダ７０等の受信装置を制御する特定の記述を含ませ、その記述にしたがって受信装置を制御できる場合がある。そうした場合、コンテンツデータの再生という概念とは多少離れるが、それら制御のための記述に従って受信装置を設定するアプリケーションを起動するようにすればよい。こうした動作も広義のコンテンツの表示・再生と呼ぶことが可能である。【０１３８】
−動作−
この第１の実施の形態に係る情報システム５０は以下のように動作する。以下の動作の前に、図１を参照して、携帯電話機６４を所持するユーザが、携帯電話網およびインターネット６２を介してコンテンツサーバ６０から画像９０等の画像データをダウンロードしたり、画像データが添付された電子メールを受信したり、または図３に示す撮像部１９０を用いて画像を撮影したりすることにより、携帯電話機６４の主データ記憶部１６６にいくつかの画像データおよび動画データ（以下「画像データ等」と呼ぶ。）が記憶されているものとする。【０１３９】
ユーザが例えばこれら画像データを他の人に見せたい、またはより大きな画面で見たいと思った場合、ユーザは図２の左側に示すように、携帯電話機６４の液晶表示装置１１０に画像データを表示させる。指示メッセージ１２２、１２４等を見ながらファンクションキー１４４を操作することにより、所望の画像を液晶表示装置１１０上に表示させる。この際、図３に示す制御部１７０は、入力部１７６から与えられる指示にしたがって、図４に示すステップ２２０、２２２の処理を行ない、ユーザに指定された画像を表示させる。【０１４０】
より具体的には、図３を参照して、制御部１７０は、入力部１７６から受けた指示にしたがい、主データ記憶部１６６から順に画像を読出して展開するようにデータ展開部１７２に指示を与える。データ展開部１７２が主データ記憶部１６６から読出し展開した画像データはデータ処理部２００に与えられる。データ処理部２００からさらにデータバッファ２０２に書込まれた画像は液晶表示装置１１０により表示される。【０１４１】
所望の画像が表示されたら、ユーザは「拡大」または「縮小」の指示を行なう。このための画面表示は図２には示されていないが、データ選択と同様に行なえる。表示されている画像の拡大または縮小が指示されると、図４のステップ２２４、２２６の処理が実行され、ユーザは所望の画面が表示されると「送信」指示を行なう。【０１４２】
より具体的には、図３を参照して、制御部１７０は、入力部１７６から拡大または縮小の指示を受けると、データ処理部２００に対して指示にしたがって画像を拡大または縮小する処理を実行させる。データ処理部２００の出力はデータバッファ２０２に与えられ、拡大または縮小された画像が液晶表示装置１１０により表示される。【０１４３】
所望の画像が所望の大きさで液晶表示装置１１０により表示されたところで、ユーザが「送信」を指示する。この指示は図３に示す入力部１７６から制御部１７０に与えられる。制御部１７０は図４に示すステップ２４２〜２４６の処理を実行する。すなわち、まずステップ２４２で指定されたデータに対する圧縮が必要か否かを判定する。典型的には、ｈｔｍｌ文書が液晶表示装置１１０に表示されているときにこの処理が実行される。また、画像データについてもデータが大きいため、通信を短時間に行なうよう圧縮処理を実行する。【０１４４】
圧縮が必要と判定されればステップ２４４でデータの圧縮が行なわれ、ステップ２４６で図３に示すＩｒＤＡ通信部１６２を用いて圧縮後の（または圧縮なしの）データがハードディスク付ＤＶＤレコーダ７０に送信される。【０１４５】
図３に即して、データ送信の指示があった場合の携帯電話機６４の各部の動作について説明する。送信指示を受けた制御部１７０は、表示されているデータが画像であれば、データ圧縮部１９２に対してデータバッファ２０２のデータの読出しを指示する。データ圧縮部１９２は、この指示に応答してデータバッファ２０２から液晶表示装置１１０に表示されている画像データをそのままの形で読出す。表示されているデータがｈｔｍｌ文書であれば、制御部１７０はデータ圧縮部１９２に対し、現在表示されているｈｔｍｌ文書を構成するファイルを主データ記憶部１６６から読出すように指示する。データ圧縮部１９２は、この指示に応答して主データ記憶部１６６からｈｔｍｌ文書を構成するファイルを読出す。【０１４６】
制御部１７０はさらに、圧縮が必要であればデータ圧縮部１９２に対してデータの圧縮を指示する。典型的には、送信すべきデータがｈｔｍｌ文書の場合にはデータ圧縮部１９２により一つのｚｉｐファイル等への圧縮を行なう。データバッファ２０２の画像データを送信する場合にも、データ圧縮部１９２による圧縮を実行しＪＰＥＧファイル等に変換することが望ましい。【０１４７】
データ圧縮部１９２は、圧縮後のファイルを主データ記憶部１６６に格納する。制御部１７０は、ＩｒＤＡ通信部１６２に対してこのデータの主データ記憶部１６６内におけるアドレスを指定して送信を指示する。ＩｒＤＡ通信部１６２は、この指示に応答して主データ記憶部１６６から指定されたデータを読出し、ハードディスク付ＤＶＤレコーダ７０に対して送信する。このときＩｒＤＡ通信部１６２は、送信されるデータの属性を属性記憶部１６８から読出し、同時にハードディスク付ＤＶＤレコーダ７０に対して送信する。【０１４８】
複数の画像を送信する指示をユーザから受けたときには、制御部１７０は記憶している画像のサムネールを並べ、チェックボックスを付して液晶表示装置１１０に表示する。ユーザがサムネールを選択して対応するチェックボックスをチェックした後、送信を指示するボタンを押すと、制御部１７０は選択された画像の送信を行なう。個々の画像ファイルの送信は、上記した単独の画像ファイルの送信と同様である。【０１４９】
本実施の形態では、主データ記憶部１６６に記憶される圧縮後のファイルは、記憶容量を節約するためにＩｒＤＡ通信部１６２により読出された後に、主記憶データ部１６６から削除されるものとする。また、複数のファイルを送信する場合、次に送信されるものを予め圧縮しておく。このように、次に送信されるファイルが判明している場合、ファイルの圧縮を前もって行なうことにより、送信にかかる時間を短縮し、装置の操作性を向上させることができる。【０１５０】
なお本実施の形態では、ＩｒＤＡによる送信時、携帯電話機６４のＩｒＤＡ通信部１６２と図８に示すハードディスク付ＤＶＤレコーダ７０のＩｒＤＡ通信部８０とは、ほとんど無手順でデータ送信を行なう。そのため、伝送速度はこれら通信部の双方で可能な通信速度のうち最高のものに予め固定されている。データの伝送失敗等があった場合にも、ＩｒＤＡ通信部８０からＩｒＤＡ通信部１６２に対して再送依頼を行なうような実装はしていない。そのため、データの伝送は高速で行なわれ、すぐにモニタ７４により画像表示が行なわれる。万が一伝送に失敗した場合には画像がすぐにモニタ７４に表示されない。ユーザは伝送に失敗したことをすぐ理解できる。そのときには、ユーザは再度送信指示を行なえばよい。装置レベルで伝送を確実に行なうよりも、高速性を重視してこのような実装としている。もちろん、通信に必要な信頼性に応じて自動的に再送を行なう方法を用いてもかまわない。【０１５１】
図８を参照して、ＩｒＤＡ通信部８０は、このデータを受信すると主データ記憶部３０４にこのデータを記憶させる。さらにＩｒＤＡ通信部８０は、同時に送信されてくる属性情報を属性記憶部３００に記憶させる。属性判定部３０２は属性記憶部３００に格納された属性情報に基づき、受信データがハードディスク付ＤＶＤレコーダ７０で展開可能なものかどうかについて判定し、その結果をデータ展開部３０６に指示する。データ展開部３０６は、この指示に基づき、主データ記憶部３０４に記憶された受信データが展開可能なものであれば主データ記憶部３０４に展開し、画像合成・切替部３１４に与える。データ展開部３０６はまた、データを受信したことおよびデータ展開が完了したことを示す信号を制御部３０８に対して与える。主データ記憶部３０４に展開されたコンテンツデータは、キャッシュデータとして主データ記憶部３０４に保持される。【０１５２】
なお、データを受信すると当該受信データを主データ記憶部３０４に逐次記憶しておくものとする。こうすることにより、一度受信したデータを再度受信する必要はなくなる。主データ記憶部３０４に記憶されたデータのいずれかを指定するデータを受信すれば、当該データを主データ記憶部３０４から読出して再生できる。したがって、主データ記憶部３０４に記憶されたデータを判別できるようにしておけば、携帯電話機６４から当該データを指定する情報さえ送れば、あたかも携帯電話機６４からデータ自体をハードディスク付ＤＶＤレコーダ７０に送信したかのようにハードディスク付ＤＶＤレコーダ７０を動作させることができる。主データ記憶部３０４には受信したデータを圧縮されたまま記憶させておいてもよい。受信データの展開に時間を要する場合には、展開前のデータではなく、前述したように展開後のデータを主データ記憶部３０４に記憶させておけば次の再生にかかる時間を節約できる。【０１５３】
制御部３０８は、データ展開部３０６からデータ展開を完了したことを示す信号を受けると、まず電源回路３１６に指示を与え、ハードディスク付ＤＶＤレコーダ７０のうち上記した通信に関与する部分以外の電源がオンとなるようにする。すなわち、ハードディスク付ＤＶＤレコーダ７０のうち通信に関与する部分以外の電源がオフしていても、ここでオンされる。またモニタ７４の電源はハードディスク付ＤＶＤレコーダ７０と連動するようになっていることが一般的であり、したがってモニタ７４の電源も同時にオンする。仮にハードディスク付ＤＶＤレコーダ７０およびモニタ７４の電源がオンしていれば、制御部３０８はここでは何もしない。【０１５４】
次に制御部３０８は、画像合成・切替部３１４および音声切替部３２０に指示を与え、データ展開部３０６からの出力を選択して出力させるようにする。もしも表示設定によってＴＶチューナ３１２からの放送番組を小画面にして合成することが指定されている場合には、画像合成・切替部３１４はＴＶチューナ３１２が選局している番組を小画面にし、画像データと合成した映像信号を作成してモニタ７４に与える。【０１５５】
この実施の形態に係る情報システム５０によれば、携帯電話機６４に保存されているコンテンツデータをより大きなモニタ７４等に表示させたい場合、ユーザは所望のコンテンツデータを携帯電話機６４の液晶表示装置１１０に表示させる。その後、ＩｒＤＡ通信部１６２をハードディスク付ＤＶＤレコーダ７０のＩｒＤＡ通信部８０の方向に向けて送信の指示をする。すると、仮にハードディスク付ＤＶＤレコーダ７０の電源がオフしている場合でも自動的にハードディスク付ＤＶＤレコーダ７０とモニタ７４とが起動し、ユーザが選択したコンテンツデータがモニタ７４の画面に表示・再生される。またハードディスク付ＤＶＤレコーダ７０およびモニタ７４の電源がオンしていて、特定の局の番組を表示している場合にも、受信したコンテンツデータの表示・再生に自動的に表示が切替わる。そのため、ユーザはごく手軽に携帯電話機６４に格納されたデータをモニタ７４上に表示させたり再生させたりすることができる。【０１５６】
さらに、液晶表示装置１１０上でコンテンツデータの拡大・縮小を行なった場合、その拡大・縮小したコンテンツデータがハードディスク付ＤＶＤレコーダ７０に伝送される。したがって、画像の中でも特定部分を拡大して表示したい場合等において、携帯電話機６４において全ての指定ができ、ハードディスク付ＤＶＤレコーダ７０を操作する必要がないという効果がある。ハードディスク付ＤＶＤレコーダ７０に画像の拡大・縮小機能が備えられていない場合でも画像の拡大・縮小を実現できる。また、データを拡大して表示した場合には、液晶表示装置１１０上で表示されない画像部分等のデータは携帯電話機６４からハードディスク付ＤＶＤレコーダ７０には伝送されない。伝送されるデータのデータ量が小さくなり、通信が短時間で済む。その結果、画像をモニタ７４に表示させたいと思ったときにすぐに表示させることができる。【０１５７】
なお、この場合、ひとつのコンテンツデータ（例えば６００万画素の静止画）に対して、部分的なデータ（例えば２００万画素の部分画像）を作り出して送る、というようなことが生じる。受信機がレコーダの場合、元データさえ記憶しておけば十分であると考えられる。したがって、この拡大、縮小したデータ（派生データ）は、元データとの関連がわかるようにしておき、両者の対応を確認できるようにすることが望ましい。例えば元ファイルが「Ｆ００１．ｊｐｇ」というファイルネームなら派生ファイルは「Ｆ００１−００１．ｊｐｇ」等という形にする。このようなファイル名の命名方式を採用すれば、受信機側で派生ファイルを消去でき、無駄なデータを記憶し続ける必要がなくなる。【０１５８】
また、ＩｒＤＡ通信部１６２からＩｒＤＡ通信部８０への伝送には実質的に無手順の伝送方式を用い、かつ共通の伝送速度に予め固定して通信を行なう。接続確立のためのネゴシエーションに長時間を要したりすることがなく、携帯電話機６４からハードディスク付ＤＶＤレコーダ７０へのデータの転送およびモニタ７４での表示を短時間に完了できる。したがって、出張先でプレゼンテーションを行なうような場合、携帯電話機６４に予めコンテンツを記憶させておけば、ハードディスク付ＤＶＤレコーダ７０のある場所でメリハリの効いた形でプレゼンテーションを行なったりすることも可能になる。【０１５９】
さらに、上記実施の形態によれば、携帯電話機６４で添付ファイル付の電子メールを受信した場合、その添付ファイル（典型的には画像ファイル）を携帯電話機６４ではなく、近くにあるＴＶ受像機で手軽に大きくして皆で楽しむ、という使い方もできる。【０１６０】
−変形例−
上記実施の形態では、データの属性を表すデータとしていわゆる拡張子と同じものを用いている。こうすることで、コンピュータとの間のデータの互換性の維持が簡単になる効果がある。しかし本発明はそのような実施の形態には限定されず、独自の体系でデータの属性を表すようにしても良い。【０１６１】
また、上記した実施の形態では、コンテンツデータを受信する装置はハードディスク付ＤＶＤレコーダ７０であった。しかし本発明は受信装置としてハードディスク付ＤＶＤレコーダだけを想定しているわけではない。例えば、ＩｒＤＡの通信機能を持つＴＶ受像機、またはセットトップボックス等を受信装置として用いることもできる。【０１６２】
さらに、上記した実施の形態では、送信装置として携帯電話機を用いている。しかし本発明はそのような実施の形態に限定されず、デジタルスチルカメラまたはデジタルビデオカメラ等のビデオカメラ、携帯情報端末等を用いて送信装置を実現してもよい。【０１６３】
さらに上記した実施の形態では、画像データ生成部１６４として撮像部１９０を備えたものを例としている。しかし本発明はそのような実施の形態に限定されるわけではない。例えば、撮像部１９０に代えて、またはこれに加えて、着脱可能な不揮発性メモリの装着部を携帯電話機６４に設けても良い。このような機能を設けた場合、他の装置で作成したコンテンツデータを携帯電話機６４からハードディスク付ＤＶＤレコーダ７０に送信しモニタ７４上で再生・表示させることができる。【０１６４】
［第２の実施の形態］
−概略−
第１の実施の形態では、携帯電話機６４からハードディスク付ＤＶＤレコーダ７０へのコンテンツデータの送信にはＩｒＤＡ通信を使用している。ＩｒＤＡ通信は媒体として赤外線を使用している。赤外線は指向性が高いので、ある受信装置に向けて送信したコンテンツデータが別の装置で受信されたりするというおそれは少ない。一方、例えば無線ＬＡＮ、Ｂｌｕｅｔｏｏｔｈ（登録商標）等、無指向性の電波を用いたものがある。よく知られているとおり、例えば無線ＬＡＮを用いた場合、通信可能な範囲は無線ＬＡＮの基地局を中心として半径１００メートル以上に達することがある。そのため、第１の実施の形態と同じようにシステムを構築すると、意図しない受信装置においてコンテンツデータが再生されるという事態が発生する可能性が非常に高い。そうした事態は避けなければならない。【０１６５】
一方、上記した無線ＬＡＮ等の通信方式は今後さらに普及が予想されるので、こうした方式を用いて第１の実施の形態のシステムと同様のシステムを構築することができれば好ましい。以下に説明する第２の実施の形態にかかるシステムは、無線ＬＡＮをコンテンツデータの送信に用い、かつコンテンツデータが誤った送信先によって再生されたりする恐れを除去したものである。【０１６６】
そのため、この第２の実施の形態では、上記した第１の実施の形態の装置ではコンテンツデータ転送に利用されていない、専用の赤外線受光部８２によるリモコン機能を利用する。最近の携帯電話機には、リモコン用の赤外線発光部を備え、所定のプログラムにしたがって赤外線を出射する機能を持つものがある。そうしたプログラムは、例えば家庭電化製品の各メーカで使用されているリモコンの方式にあわせて個別に作成され、インターネット上のしかるべきサイトからダウンロード可能となっていることが多い。そこで、そうした機能を持つ携帯電話機を利用し、コンテンツデータ受信装置のリモコンとして受信装置を制御することもできる。【０１６７】
この第２の実施の形態は、携帯電話機をリモコンとして受信装置を制御しながら、無線ＬＡＮを用いたコンテンツデータの送信と組合せ、より操作性が高くかつ安全な形で携帯電話機等の携帯情報端末からコンテンツデータを受信装置に転送し表示・再生させることが可能なシステムに関する。【０１６８】
図１１に、この第２の実施の形態に係る情報システム４００の概略構成を示す。図１１を参照して、この情報システム４００は、携帯電話機４０２とコンテンツ再生システム４０４とを含む。携帯電話機４０２は、第１の実施の形態の携帯電話機６４と同様、携帯電話網およびインターネット６２を介してコンテンツサーバ６０から画像９０等のコンテンツデータをダウンロードし保存しておくことが可能である。さらに携帯電話機４０２は、リモコンのための赤外線４０８を出射する機能および所定のプログラムにしたがってこの赤外線出射を制御する機能と、無線４０６を介して通信を行なう無線ＬＡＮ通信機能とを有する。一方、コンテンツ再生システム４０４は、赤外線受信部８２および図１１には図示しない無線ＬＡＮ通信部を有するハードディスク付ＤＶＤレコーダ４１０と、モニタ７４と、ハードディスク付ＤＶＤレコーダ４１０およびモニタ７４を結ぶケーブル７２とを含む。【０１６９】
本実施の形態では、携帯電話機４０２からハードディスク付ＤＶＤレコーダ４１０へは、無線ＬＡＮ４０６を介してコンテンツデータの送信を行なう。前述したとおり、無線ＬＡＮでは通信データが１００ｍ以上離れた地点で受信されることもありうる。そこで本実施の形態では、後に詳細に説明するとおり、無線４０６では暗号化したコンテンツデータを送信し、リモコンのための赤外線４０８による通信を介してこの暗号化の鍵を送信して、この鍵を使用してコンテンツデータを復号化する。リモコンのための赤外線は指向性が高く、かつその到達距離は最大でも４ｍ〜６ｍ程度にとどまるため、通常の使用では他の装置に受信されることはない。【０１７０】
図１２に、本実施の形態での携帯電話機４０２およびモニタ７４上の表示例と、ユーザの操作のためのキー等を図示する。図１２を参照して、携帯電話機４０２は、液晶表示装置１１０を有する蓋部４３０と、本体４３２とを含む。蓋部４３０は、図示しないリモコン用の赤外線発光部を有している。また本体４３２の内部には、無線ＬＡＮのための通信装置が備えられている。【０１７１】
液晶表示装置１１０上の表示は、第１の実施の形態におけるものと同様である。また本体４３２上の各種キーの配置も第１の実施の形態におけるものと同様である。ただし本実施の形態では、携帯電話機４０２の持つリモコン機能によってハードディスク付ＤＶＤレコーダ４１０を制御できるため、携帯電話機４０２に備えられた各種キーを使用した場合の携帯電話機４０２内部の動作、およびハードディスク付ＤＶＤレコーダ４１０における動作が第１の実施の形態におけるものと異なっている。【０１７２】
第１の実施の形態では、携帯電話機６４から送られたコンテンツデータをハードディスク付ＤＶＤレコーダ７０内部に蓄積することは可能であっても、それらデータをハードディスク付ＤＶＤレコーダ７０内部から読出して表示するように携帯電話機６４から制御することはできなかった。しかし本実施の形態では、携帯電話機４０２の持つリモコン機能によりそうした制御が可能になる。例えば、ハードディスク付ＤＶＤレコーダ４１０にコンテンツデータを送信して蓄積させ、蓄積された画像を順次読出して表示させたりすることができる。ハードディスク付ＤＶＤレコーダ４１０をそのような動作モードで動作させるためには、例えば携帯電話機６４のような送信装置側で特定のキー、例えば「７」のキーを押す、という形で実装が可能である。また、例えば携帯電話機４０２から複数の画像をモニタ７４に一括して送信し、それら画像のサムネールをモニタ７４に表示してその中からいずれかの画像を選択してモニタ７４に大きく表示させる、という動作も可能になる。【０１７３】
図１２に示す例では、モニタ７４上には画像９４とともに、表示中の画像に対する操作を指示する際に押すべき数字キーを示す表示４３４と、ハードディスク付ＤＶＤレコーダ４１０内に蓄積されているデータのうち、表示されている画像の前の画像または後の画像に移動するときに押すべき数字キーを示す表示４３６とが表示されている。この表示に対応する数字キーを携帯電話機４０２で押せば、その数字キーを示す制御データがリモコン信号としてハードディスク付ＤＶＤレコーダ４１０等の受信装置に送られ、蓄積されているコンテンツデータのうちの所望のものを選択できる。この場合、携帯電話機４０２が制御データの意味を知る必要はなく、単に押されたキーが何かを受信装置に送信すればよい。【０１７４】
図１２に示す例で「３／５」という表示４３８は、ハードディスク付ＤＶＤレコーダ４１０内に蓄積されているコンテンツデータが５個であり、表示されているコンテンツデータがそのうち３番目であることを示している。【０１７５】
さらに本実施の形態では、動画について以下のような制御も可能になる。図１３を参照して、ハードディスク付ＤＶＤレコーダ４１０に対し携帯電話機４０２から動画データ４４０を送信する場合を想定する。第１の実施の形態のシステムでは、無条件に動画データ４４０の先頭から再生が開始されることになる。しかし本実施の形態では、ハードディスク付ＤＶＤレコーダ４１０側で動画データ４４０の中の一部画像４４２Ａ、４４２Ｂ、４４２Ｃ、および４４２Ｄ等を抽出してサムネール４４４Ａ、４４４Ｂ、４４４Ｃ、４４４Ｄ（これらを一括して「サムネール４４４」と呼ぶ。）等として表示することができる。さらに、これらサムネール４４４に対し番号ボタン４４６Ａ、４４６Ｂ、４４６Ｃ、および４４６Ｄ（これらを一括して「番号ボタン４４６」と呼ぶ。）を付して表示することにより、携帯電話機４０２からサムネール４４４のいずれかをリモコン通信を介して番号で指定することができる。その結果、動画データ４４０の中でユーザが選択したサムネール４４４により表示された画面からの再生を行なう、等ということが可能になる。【０１７６】
−携帯電話機４０２の構成−
図１４に、こうした機能を実現するための携帯電話機４０２の機能構成をブロック図形式で示す。図１４において、図３と同一の部品には同一の参照番号を付してある。図１４は図３に示す構成を一部変更したものである。異なる点の第１は、携帯電話機４０２が図３に示すＩｒＤＡ通信部１６２に代えて、属性記憶部１６８および主データ記憶部１６６に接続された、無線のためのアンテナを含む無線ＬＡＮ通信部４５０を含むことである。第２は、リモコン機能のための赤外線送信部４５６を含むことである。第３は、無線ＬＡＮ通信で使用する暗号鍵を作成するための暗号鍵作成部４５２を含むことである。第４は、第１の実施の形態における制御部１７０に代えて、制御部１７０が有する機能に加え、無線ＬＡＮ通信部４５０、赤外線送信部４５６、および無線ＬＡＮ通信部４５０で行なわれる暗号化通信を制御する処理を行なう機能をさらに有する制御部４６０を含むことである。【０１７７】
携帯電話機４０２はさらに、主データ記憶部１６６および属性記憶部１６８と無線ＬＡＮ通信部４５０との間に設けられ、無線ＬＡＮ通信部４５０を介して送信されるデータを暗号化するための暗号化処理部４５８を含む。暗号化処理部４５８によるデータの送信時には、暗号鍵作成部４５２により作成された暗号鍵が使用される。暗号化処理部４５８は復号化時の暗号化を行なう機能を持つことが好ましいが、復号化は本発明とは直接の関連がないためここでは詳細は説明しない。【０１７８】
図１５に、制御部４６０が実行する携帯電話機４０２の制御のためのプログラムの主要部分の制御構造をフローチャート形式で示す。図１５において、本発明と関連を持たない機能に関するプログラム部分は省略してある。【０１７９】
図１５において、図４に示す第１の実施の形態におけるフローチャートと異なるのは、「送信」が指示されたときの処理が図４の場合と異なることと、制御データの送信処理が新たに追加されたこととである。制御データとは、ハードディスク付ＤＶＤレコーダ４１０の動作をリモコンで制御するためのデータである。ハードディスク付ＤＶＤレコーダ４１０に対する制御データとして本実施の形態で特徴的に用いられるのは、表示されている画像の拡大、縮小を指示する制御データと、既にハードディスク付ＤＶＤレコーダ４１０に蓄積されているデータを選択するための制御データと、動画データの再生において画面に表示されるサムネールのいずれを選択するかを示す制御データとである。【０１８０】
図１５を参照して、「送信」が指示されると、ステップ４８０で暗号鍵を作成する。ステップ４８２において、送信されるコンテンツデータの圧縮と、圧縮されたコンテンツデータおよびその属性データを暗号鍵を用いて暗号化する処理とを行なう。ステップ４８４では、暗号鍵の送信をリモコン用の赤外線送信部４５６を用いて行なう処理と、ステップ４８２において暗号化されたコンテンツと属性データとを無線ＬＡＮ通信部４５０を用いて送信する処理とを同時に行なう。赤外線送信部４５６と無線ＬＡＮ通信部４５０との二つを持つため、このような処理が可能になる。この後、ステップ２１０に戻り次のユーザの入力を待つ。【０１８１】
一方、ステップ２１２において制御データの送信が指示されたと判定されると、ステップ４９０に進む。ステップ４９０では、赤外線送信部４５６を用いて制御データの送信を行なう。送信が完了するとステップ２１０に戻る。【０１８２】
−ハードディスク付ＤＶＤレコーダ４１０の構成−
図１６に、ハードディスク付ＤＶＤレコーダ４１０の構成をブロック図形式で示す。このハードディスク付ＤＶＤレコーダ４１０は図８に示す第１の実施の形態のハードディスク付ＤＶＤレコーダ７０の一部の構成を変更したものである。図１６を参照して、ハードディスク付ＤＶＤレコーダ４１０は、図８に示すハードディスク付ＤＶＤレコーダ７０といくつかの点で異なる。異なる点の第１は、ハードディスク付ＤＶＤレコーダ４１０が、図８のＩｒＤＡ通信部８０に代えて無線ＬＡＮ通信部４２０を含むことである。第２は、ハードディスク付ＤＶＤレコーダ４１０が、無線ＬＡＮ通信部４２０の受信した暗号化されたデータを復号化し、属性データを属性記憶部３００に、圧縮されたコンテンツデータを主データ記憶部３０４に、それぞれ与える処理を行なうためのデータ復号化処理部４２２を含むことである。第３は、ハードディスク付ＤＶＤレコーダ４１０が、第１の実施の形態に係る制御部３０８に代えて、無線ＬＡＮ通信部４２０、データ復号化処理部４２２、および赤外線受信部８２を用い、暗号化されたコンテンツデータと属性データとを受信し復号化して第１の実施の形態と同様にこのコンテンツデータに対する処理を実行する制御部４２４を含むことである。データ復号化処理部４２２は赤外線受信部８２が受信した暗号鍵を用いて復号化を行なう。データ復号化処理部４２２はデータの暗号化機能も備えることが一般的であるが、暗号化処理は本発明に直接関連しないため、ここではその詳細な説明は省略する。【０１８３】
さらにハードディスク付ＤＶＤレコーダ４１０は、属性記憶部３００に記憶されている属性情報に基づいて、データが動画を含むコンテンツデータであるか否かを判定し、動画を含む場合には動画データからサムネール画像を作成し、さらにサムネール選択画面を作成するためのサムネール画像作成部４２６を含む。またハードディスク付ＤＶＤレコーダ４１０は、図８に示す電源回路３１６に代えて、３つの入力を持つ画像合成・切替部４２８を有する点でも図８に示すハードディスク付ＤＶＤレコーダ７０と異なっている。画像合成・切替部４２８の機能は画像合成・切替部３１４の機能とほぼ同様であるが、第３番目の入力がサムネール画像作成部４２６からのサムネール選択画面を受けるように接続されている点が異なる。制御部４２４は、画像データを受信した場合には画像合成・切替部４２８がサムネール画像作成部４２６からのサムネール選択画面を選択し出力するように画像合成・切替部４２８を制御する。【０１８４】
図１７に、制御部４２４がハードディスク付ＤＶＤレコーダ４１０の各部を制御して上記したコンテンツデータに対する処理を実現するためのプログラムの主部分をフローチャート形式で示す。図１７を参照して、この処理では、ステップ５００で制御データを受信したか否かを判定する。制御データを受信していればステップ５２０に進み、さもなければステップ５０２に進む。【０１８５】
ステップ５０２では、コンテンツデータを受信しているか否か（すなわち無線ＬＡＮ通信部４２０がデータを受信しているか否か）を判定する。もしコンテンツデータを受信していればステップ５０４に進む。さもなければステップ５００に戻る。【０１８６】
ステップ５０４では、暗号鍵を主データ記憶部３０４から読出す。暗号鍵は、この処理に先立って、または同時に、赤外線受信部８２を介して受信され、主データ記憶部３０４に記憶されているはずである。ステップ５０４では、暗号鍵が記憶された時刻と、コンテンツデータ受信開始時刻と現在時刻とを比較し、コンテンツデータ受信開始後に暗号鍵が受信されたものであることを確認し、暗号鍵を読出す。すなわちこのステップでは、暗号鍵がコンテンツデータと同時並行的に受信されたものであるか否かを判定する。【０１８７】
ステップ５０５では、暗号鍵が上記した条件を満たしているか否かを判定する。もし満たしていなければステップ５００に戻る。満たしていればステップ５０６に進む。【０１８８】
ステップ５０６では、受信したコンテンツデータおよび属性データをこの暗号鍵を用いて復号化する。ステップ５０８では、復号化が問題なく行なえたか否かについての判定を行なう。復号化に成功すればステップ５１０に進み、失敗すればステップ５００に戻る。スップ５１０では、復号化されたコンテンツデータを主データ記憶部３０４に、属性データを属性記憶部３００に、それぞれ与え、記憶させる。このとき、蓄積されている画像等の数を更新する。さらにステップ５１２で、コンテンツデータに対する再生等の所定のコンテンツ処理を開始する。コンテンツ処理が開始されるとステップ５００に戻り、上記した処理を繰返す。【０１８９】
一方、ステップ５００において制御データを受信したと判定された場合、ステップ５２０以下の処理が実行される。ステップ５２０では、受信した制御データが、過去にハードディスク付ＤＶＤレコーダ４１０が受信し蓄積しているデータの表示・再生を指示しているものか否かについての判定を行なう。判定結果がＹＥＳであればステップ５２２に進み、さもなければステップ５２４に進む。【０１９０】
ステップ５２２では、制御データにより指定されたコンテンツデータを選択し、ステップ５１２に進む。ステップ５１２以下の処理はコンテンツデータを受信した場合と同様である。【０１９１】
ステップ５２０において、制御データが過去データを指定するもの以外のものであると判定された場合、ステップ５２４に進む。ステップ５２４では、受信した制御データが暗号鍵を含むか否かについて判定する。受信された制御データが暗号鍵を含む場合、受信した暗号鍵をステップ５２６で主データ記憶部３０４に格納し、ステップ５００に戻る。制御データが暗号鍵を含むもの以外である場合には、ステップ５２８に進む。【０１９２】
ステップ５２８では、制御データが、動画再生の場合のサムネール指定を含むか否かを判定する。前述したように、動画データを受信した場合、ハードディスク付ＤＶＤレコーダ４１０はサムネールを作成し、画面に表示する。ユーザはそれらサムネールに付された番号ボタンを指定することで、指定されたシーンから動画の再生を指示する。ステップ５２８では、受信した制御データがそのように動画再生の場合のサムネールを指定するものであるか否かを判定する。具体的にはこの指定は、サムネール画像に付された番号を示すものである。制御データがサムネール指定を含む場合、ステップ５３０に進み、それ以外の場合にはステップ５３２に進む。【０１９３】
ステップ５３０では、制御データにより指定されたサムネールから動画の再生を開始する。この後ステップ５００に戻る。一方ステップ５３０では、制御データにしたがい他の制御を行なう。この後、ステップ５００に戻る。【０１９４】
図１８は、図１７のステップ５１２で実行されるコンテンツ処理のフローチャートである。図１８に示される処理は図９に示す処理に対し、動画データを受信したときの処理（ステップ５４０〜５４４）を追加したものである。なお、図１８に示される処理は、受信されたコンテンツデータだけでなく、主データ記憶部３０４に記憶されたコンテンツデータが指定された場合にはそのコンテンツデータに対しても行なわれる。【０１９５】
本実施の形態では、ステップ３３４において主データが正常なものと判定された場合、制御はステップ５４０に進む。ステップ５４０では、処理の対象となるコンテンツデータが動画データか否かについての判定が行なわれる。この判定は対象となっているコンテンツデータの属性情報を調べることにより行なわれる。動画データであればステップ５４２に進み、それ以外の場合にはステップ３３８に進む。【０１９６】
ステップ５４２では、動画データから所定の方法によりサムネール画面を作成する。例えば動画データがＭＰＥＧフォーマットの場合、その中にＩピクチャと呼ばれる画像が含まれる。Ｉピクチャはそれだけで独立して一つの画面を表している。したがってステップ５４２では、Ｉピクチャの中から所定枚数だけサムネールを選択する。または、シーンの変わり目等を自動的に検出して新たなシーンの先頭をサムネールとすることもできる。それらサムネール作成のための技術としては、公知のものを利用できる。さらにステップ５４２では、作成したサムネールを、それらサムネールを識別する番号ボタンとともに並べて示す画面を作成する。【０１９７】
ステップ５４４では、サムネール画面をモニタ７４に送信する。この後、ステップ３３０に戻る。【０１９８】
ステップ３３８で実行されるデータ再生処理は、図１０に示すものと同様である。【０１９９】
−動作−
上記した第２の実施の形態に係る情報システム４００（図１１参照）は以下のように動作する。まず図１４および図１５を参照して、携帯電話機４０２の動作について説明する。なお以下の説明では、インターネットからコンテンツデータを携帯電話機４０２にダウンロードする際の携帯電話機４０２の動作等、本発明と直接の関連を持たない事項については省略する。すなわち、図１４に示す主データ記憶部１６６には、画像データ、動画データ等のコンテンツデータが既に蓄積されているものとする。【０２００】
図１４を参照して、ユーザは入力部１７６を用いた操作により主データ記憶部１６６から所望のコンテンツデータを読出し、液晶表示装置１１０に表示させる。この際の携帯電話機４０２の動作は、第１の実施の形態に係る携帯電話機６４の動作と同様である。【０２０１】
ユーザが所望のコンテンツデータを液晶表示装置１１０に表示させた後、ユーザが図１２に示す「送信」を指示したものとする。この指示は入力部１７６から制御部４６０に与えられる。制御部４６０は、この指示を受けると次のように動作する。表示されているコンテンツが画像データである場合、制御部４６０はデータ圧縮部１９２に指示を与え、データバッファ２０２に格納されている画像を読出し、圧縮させる。データ圧縮部１９２は圧縮されたデータを主データ記憶部１６６に与える。表示されているコンテンツが動画データまたは音楽データのように、時間的に変化するコンテンツである場合、制御部４６０は主データ記憶部１６６に記憶されている元のデータを選択する。【０２０２】
一方、制御部４６０は暗号鍵作成部４５２に指示し、暗号鍵を作成させる。制御部４６０は、暗号化処理部４５８を制御し、主データ記憶部１６６に記憶されている送信対象のデータと、属性記憶部１６８に記憶されている対応する属性データとを、暗号鍵作成部４５２が作成した暗号鍵を用いて暗号化させる。【０２０３】
制御部４６０は、こうして暗号化されたコンテンツデータおよび属性データを無線ＬＡＮ通信部４５０を介して送信する。同時に制御部４６０は、暗号鍵作成部４５２が作成した暗号鍵を赤外線送信部４５６に与え、赤外線リモコン通信として送信させる。【０２０４】
以上がコンテンツ送信時の携帯電話機４０２の動作である。【０２０５】
これに対し、例えばハードディスク付ＤＶＤレコーダ４１０に記憶されているコンテンツデータをモニタ７４上に表示させたり、モニタ７４に表示されるコンテンツデータを一つずつ進めたり逆戻りさせたり、モニタ７４に表示されるサムネールを選択したりするための操作は、入力部１７６を用いて制御部４６０に与えられる。制御部４６０は、そうした制御の指示は、赤外線送信部４５６を用いて制御データとして送信する。無線ＬＡＮ通信部４５０は使用しない。【０２０６】
図１６〜図１８を参照して、ハードディスク付ＤＶＤレコーダ４１０は以下のように動作する。ここでも、既にハードディスク付ＤＶＤレコーダ４１０の主データ記憶部３０４には、複数のコンテンツデータが既に記憶されているものとする。【０２０７】
無線ＬＡＮ通信部４２０が携帯電話機４０２からコンテンツデータを受信すると、無線ＬＡＮ通信部４５０は受信データをデータ復号化処理部４２２に与える。このデータは暗号化されているので、すぐには利用できない。一方、赤外線受信部８２が同時に暗号化鍵を受信すると、制御部４２４はこの暗号化鍵を記憶し、データ復号化処理部４２２に与える。データ復号化処理部４２２は暗号化鍵を用いて受信データを復号化し、コンテンツデータを主データ記憶部３０４に記憶させる。データ復号化処理部４２２はまた、復号化した受信データのうち、属性情報を属性記憶部３００に与える。【０２０８】
属性判定部３０２は、属性記憶部３００に記憶された属性データに基づき、処理対象のデータがハードディスク付ＤＶＤレコーダ４１０において処理可能なデータか否かを判定し展開可能であればデータ展開部３０６に指示を与えて受信データを展開させる。一方、サムネール画像作成部４２６は、復号化されたデータの属性情報により、コンテンツデータが動画データであると判明した場合、動画データからサムネール情報を作成し、画像合成・切替部４２８に与える。データ展開部３０６は展開後の受信データを主データ記憶部３０４に書込むとともに、画像合成・切替部４２８および音声切替部３２０に与える。【０２０９】
一方、制御部４２４は、コンテンツデータを受信し、かつそれが動画データである場合にはサムネール画像作成部４２６の出力を、それ以外のデータである場合にはデータ展開部３０６の出力を、それぞれ選択するように画像合成・切替部４２８を制御する。音声切替部３２０に対する制御は第１の実施の形態におけるものと同様である。【０２１０】
赤外線受信部８２を介して受信した制御データが主データ記憶部３０４に記憶されているコンテンツデータの表示・再生を指示するものである場合には、制御部４２４は指定されたコンテンツデータを主データ記憶部３０４から読出すようにデータ展開部３０６に指示する。属性判定部３０２は、主データ記憶部３０４から読出されたデータの属性を属性記憶部３００から読出し、処理可能なデータであればデータ展開部３０６にデータを展開させる。データ展開部３０６は、展開したデータを画像合成・切替部３１４に与える。【０２１１】
もしも属性情報によって、データ展開部３０６が展開したコンテンツデータが動画データであることが判明すると、サムネール画像作成部４２６は動画のサムネール画像を作成し、さらにそれら複数のサムネール画像と、対応する番号ボタンの画像とを配列したサムネール選択画面を作成し、画像合成・切替部４２８に与える。【０２１２】
画像合成・切替部４２８は、制御部４２４からの制御信号と、属性記憶部３００に記憶されている属性情報とにしたがって、コンテンツ処理部３１０からの画像を、サムネール画像作成部４２６から与えられたサムネール選択画面、またはデータ展開部３０６から与えられたコンテンツデータのいずれかに切替える。すなわち、再生すべきコンテンツデータが動画データであればサムネール画像作成部４２６からのサムネール選択画面を選択し、それ以外の場合にはデータ展開部３０６からのデータを選択し、モニタ７４に対し出力する。それまでＴＶチューナ３１２からの映像がモニタ７４に表示されている場合でも、コンテンツデータを受信すると画面が切替わりコンテンツデータまたはサムネール選択画面が表示される。【０２１３】
音声切替部３２０の動作は第１の実施の形態の場合と同様である。【０２１４】
また、制御部４２４は、携帯電話機４０２からサムネール選択の制御データを受信すると、データ展開部３０６により展開された動画データのうち、指定されたサムネールに対応するシーンからの画像を画像合成・切替部４２８に与えるようにデータ展開部３０６を制御する。同時に制御部４２４は画像合成・切替部４２８を制御してデータ展開部３０６からのデータを選択させる。その結果、ハードディスク付ＤＶＤレコーダ４１０から動画データに対応する映像信号がモニタ７４に与えられ、モニタ７４上に表示される。なお、上に説明したサムネール画像の選択は、動画データが大きい場合には動画データからのデータ伝送中に携帯電話機４０２からハードディスク付ＤＶＤレコーダ４１０に送信される可能性もある。本実施の形態ではそうした場合、動画データの受信および蓄積と、動画データの再生とを同時並行的に行なう。【０２１５】
本実施の形態では、無線ＬＡＮを用いて携帯電話機４０２からハードディスク付ＤＶＤレコーダ４１０に高速にコンテンツデータを転送し、モニタ７４の表示を切替えてユーザに提示することができる。無線ＬＡＮは無指向性でありかつ到達距離も長いが、伝送内容が暗号化されているので意図した受信装置以外の受信装置により受信されても解読されるおそれは少ない。一方、制御データと暗号鍵とは赤外線を用いたリモコン通信形式で送信される。媒体としての赤外線は指向性が高く、かつ到達距離も短いので、利用者が意図した受信装置以外により受信されるおそれは少ない。その結果、本実施の形態に係る情報システム４００によれば、無線ＬＡＮ通信を用いて、安全かつ高速にコンテンツデータの転送、再生・表示を行なうことができる。【０２１６】
さらに、上記した実施の形態では、無線４０６を用いたデータ伝送と、赤外線４０８を用いた制御データの伝送とを、ユーザに通信方式の切替を意識させることなく、同じアプリケーションで自動的に使い分ける伝送方式を実現している。【０２１７】
−変形例−
上記した第２の実施の形態では、コンテンツデータの受信開始後、同時並行的に暗号鍵を受信したときのみこの暗号鍵を用いてコンテンツデータを復号化している。しかし本発明はそのような実施の形態には限定されない。例えば、コンテンツデータの受信開始前または直後の所定時間内に暗号鍵を受信した場合にも上記したのと同様の処理を実行するようにしてもよい。時間的に多少前後しても、コンテンツデータとほぼ同時刻に暗号鍵が受信された場合にも、両者の受信が「同時並行的」であると考えることもできる。また一連のコンテンツデータが受信された直後に暗号鍵を受信したことに応答して、この暗号鍵を用いてコンテンツデータを復号化するようにしてもよい。又は、一連のコンテンツデータが暗号化されていない場合、又は同時並行的に受信した暗号鍵を用いたコンテンツデータの復号化が完了した場合、コンテンツデータの受信完了直後にコンテンツデータに対する制御指示を受けたことに応答して、制御指示により示される処理をコンテンツデータに対して実行するようにしてもよい。この場合、受信された一連のコンテンツデータと、制御指示との対応を確実に判定できる。また、受信されたコンテンツデータに関するユーザの記憶が新しいうちに、当該コンテンツデータに対する処理を指定することができる。【０２１８】
上記した第２の実施の形態では、動画データに対してサムネールを作成する場合、作成するサムネールの数を一定とした。しかし本発明はそのような実施の形態に限定されるわけではない。例えば実質的に一定時間ごとのシーンからサムネールを作成するようにしたりすることも考えられる。この場合、動画データの再生時間が長くなるほど、作成されるサムネールの数は多くなる。もちろん、動画データに最初からサムネールが付されている場合には、そのサムネールを使用するようにし、ハードディスク付ＤＶＤレコーダ４１０におけるサムネール作成を省略することもできる。【０２１９】
上記した第２の実施の形態では、コンテンツデータを送信する媒体として無線ＬＡＮを用いた。しかし、本発明はそのような実施の形態には限定されない。無線ＬＡＮのほかにもＢｌｕｅｔｏｏｔｈ（登録商標）、ＩｒＤＡ等、指向性の有無にかかわらず高速にデータ伝送を行なうことが可能な伝送媒体であればどのようなものでも使用できる。【０２２０】
また上記した実施の形態では、動画データの受信・蓄積と再生とを同時並行的に行なうようにしているが、本発明はそのような実施の形態には限定されない。動画の再生を、動画データの受信および蓄積が完全に終了した時点で行なっても良い。【０２２１】
また、サムネール画像を受信装置（ハードディスク付ＤＶＤレコーダ４１０）側で作成する場合、受信が完了した動画データからしかサムネール画像を作成できない。そのため、動画データを受信するとともに同時並行的にサムネール画像とサムネール選択画面とを作り直していき、新たなサムネール画像が作成されるごとにサムネール画像の表示を更新するようにしてもよい。【０２２２】
さらに、上記した実施の形態では、コンテンツデータが動画データである場合、ハードディスク付ＤＶＤレコーダ４１０では、サムネール画像と、それらサムネール画像に割当てられた番号を表す番号ボタンの画像とを含むサムネール選択画面を作成し、モニタ７４に表示している。しかし、本発明はそのような実施の形態には限定されない。例えば、サムネール選択画面にはサムネールのみを示し、携帯電話機からの制御信号によってサムネール画像を一つずつ順番に選択し、携帯電話機から再生指示信号が与えられた時点で、そのとき選択されているサムネールに対応する画面から再生を開始するようにしてもよい。【０２２３】
また上記した第２の実施の形態では、ハードディスク付ＤＶＤレコーダ４１０（図１６）は、画像合成・切替部４２８によってＴＶチューナ３１２の出力とサムネール画像作成部４２６またはデータ展開部３０６の出力とを切替えている。しかし本発明はそのような実施の形態には限定されない。例えばＴＶチューナ３１２のあるチャンネルにデータ展開部３０６またはサムネール画像作成部４２６の出力を割当てておき、画像合成・切替部４２８による切替ではなくＴＶチューナ３１２のチャンネルの選択により、無線ＬＡＮ通信部４２０が受信したコンテンツをモニタ７４に表示するようにしてもよい。【０２２４】
さらに、上記した実施の形態では、送信装置として携帯電話機を用いている。しかし本発明はそのような実施の形態に限定されず、デジタルスチルカメラまたはデジタルビデオカメラ等のビデオカメラ、携帯情報端末等を用いて送信装置を実現してもよい。【０２２５】
［第３の実施の形態］
−概略−
第１の実施の形態のシステムでは、ハードディスク付ＤＶＤレコーダ７０は携帯電話機６４から送信されるコンテンツデータを再生・表示するだけである。例えば複数の画像を順次所定時間の間だけ表示して切替えていく、いわゆるスライドショーのような機能は、ハードディスク付ＤＶＤレコーダ７０側で実装する必要がある。しかし、そのような機能を持たないハードディスク付ＤＶＤレコーダ７０を用い、スライドショー的な表示を実現することができれば便利である。この第３の実施の形態はそのようなシステムに関する。【０２２６】
図１９に第３の実施の形態に係るシステム５５０の概略構成を示す。図１９を参照してこのシステム５５０は、多数のデジタルスチル画像を撮影し、保存することが可能なデジタルカメラ５６０と、第１の実施の形態で使用したハードディスク付ＤＶＤレコーダ７０およびモニタ７４とをそのまま利用して、上記したスライドショーを実現するものである。デジタルカメラ５６０は、ＩｒＤＡ通信部１６２を有する。【０２２７】
また本実施の形態では、コンテンツデータの送信にＩｒＤＡ通信を用いるが、既に説明した通り、ＩｒＤＡ通信は指向性の高い赤外線を通信に用いるので、デジタルカメラ５６０のＩｒＤＡ通信部１６２とハードディスク付ＤＶＤレコーダ７０のＩｒＤＡ通信部８０とを、通信が良好な状態で行なえるような位置関係に安定的に維持する必要がある。そこで本実施の形態では、デジタルカメラ５６０とハードディスク付ＤＶＤレコーダ７０との双方を制御できるリモコン５６２を用いる。したがってデジタルカメラ５６０には、リモコン用の赤外線受信部５７２が備えられている。リモコン５６２を用いることで、デジタルカメラ５６０をハードディスク付ＤＶＤレコーダ７０のすぐそばにおいたまま、離れた位置からデジタルカメラ５６０とハードディスク付ＤＶＤレコーダ７０とを制御できるので、安定したデータ伝送を実現しながら、大きな画面でコンテンツデータを楽しむことができる。【０２２８】
−デジタルカメラ５６０の構成−
図２０に、デジタルカメラ５６０の概略構成をブロック図形式で示す。デジタルカメラ５６０は、本発明に関連する部分だけを考えると、携帯電話機能を持たない点で図３に示す第１の実施の形態に係る携帯電話機６４と異なるが、その他の点では基本的に携帯電話機６４と同様の構成を有する。【０２２９】
図２０を参照して、デジタルカメラ５６０が図３に示す携帯電話機６４と異なる点として大きく４点ある。第１は、図３の無線通信部１６０に代えてリモコン用の赤外線受信部５７２を含むことである。第２は、スライドショーにおいて画面切替の時間を繰返し計時するためのタイマ５７４をさらに含むことである。画面切替の時間は自由に設定可能であり、タイマ５７４は、設定された時間が満了すると設定時間満了の信号を制御部５７０に与え、設定された時間の計時を再開する機能を持つ。第３は、図３に示す入力部１７６に代えて、デジタルカメラ用の操作入力を受けるための入力部５７６を含む点である。第４は、図３に示す制御部１７０に代えて、第１の実施の形態における携帯電話機６４において提供する機能を実現するプログラムに加えて、スライドショー機能を実現するプログラムをさらに実行する制御部５７０を含む点である。なお制御部５７０は、入力部５７６からの操作入力だけでなく、赤外線受信部５７２からのリモコン制御信号にも応答して動作する点でも制御部１７０と異なる。【０２３０】
図２１に、制御部５７０が実行する、モニタ７４上でスライドショーを実現するためのプログラムの制御構造をフローチャート形式で示す。図２１を参照して、ステップ６００でスライドショーにおいて各画像を表示している時間を定めるタイマ長の初期設定を行なう。すなわち、ユーザが指定した、スライドショーにおける各画像の表示時間をタイマ５７４に設定する。ステップ６０２では、主データ記憶部１６６に、現在モニタ７４により表示されている画像データ（直前にデジタルカメラ５６０からハードディスク付ＤＶＤレコーダ７０に伝送した画像データ）の次の画像データが存在しているか否か（すなわち、表示対象の全ての画像データの表示が完了したか否か）について判定する。次データがあればステップ６０４に進み、さもなければスライドショーを終了する。【０２３１】
ステップ６０４では、現在表示されている画像の次の画像を選択し、主データ記憶部１６６から対応の画像データを読出す。ステップ６０６でＩｒＤＡ通信部１６２を介してデータを送信する。このデータを受信したハードディスク付ＤＶＤレコーダ７０は、第１の実施の形態で説明した動作により、モニタ７４上に当該画像を表示する。【０２３２】
ステップ６０８では、タイマ５７４から設定時間満了の信号を受けたか否かを判定する。タイマ５７４からの信号を受けるまでステップ６０８で待機し、タイマ５７４からの信号を受けるとステップ６０２に戻る。【０２３３】
−動作−
ユーザは、入力部５７６またはリモコン５６２を利用してスライドショーの対象となる画像群、およびスライドショーで各画像が表示される時間を設定する。この設定情報は制御部５７０内に保持される。この後ユーザはデジタルカメラ５６０をハードディスク付ＤＶＤレコーダ７０のＩｒＤＡ通信部８０に対面する適切な位置に置く。【０２３４】
ユーザが入力部５７６またはリモコン５６２を用いてスライドショーの開始を指示すると、図２１に制御構造を示すプログラムが起動される。まずタイマ５７４に、予め設定された表示時間をタイマ長として初期設定する。主データ記憶部１６６中のスライドショー対象の画像データのうちの先頭データ（例えばファイル名で判断する。）を主データ記憶部１６６から読出してＩｒＤＡ通信部１６２を介してハードディスク付ＤＶＤレコーダ７０に送信する。【０２３５】
ハードディスク付ＤＶＤレコーダ７０はこの画像データを受信すると、第１の実施の形態で説明したように、受信した画像データをモニタ７４上に再生・表示する。ハードディスク付ＤＶＤレコーダ７０は、データ受信時に何か他の番組等を表示していたとしても直ちにその表示を中止して受信した画像を再生・表示する。【０２３６】
所定時間が経過するとデジタルカメラ５６０は主データ記憶部１６６から次の画像データを読出し、ハードディスク付ＤＶＤレコーダ７０に送信する。この画像データも、前の画像データに代えて直ちに表示される。【０２３７】
こうして、デジタルカメラ５６０が図２１に示すプログラムを繰返すことにより、ハードディスク付ＤＶＤレコーダ７０およびモニタ７４によるスライドショーが実現される。デジタルカメラ５６０がスライドショー対象の全ての画像データについてハードディスク付ＤＶＤレコーダ７０に送信する処理を完了すると、デジタルカメラ５６０の制御部５７０はスライドショープログラムの実行を終了し、通常の動作モードに戻る。【０２３８】
この第３の実施の形態によれば、ハードディスク付ＤＶＤレコーダ７０およびモニタ７４として第１の実施の形態で用いたものと全く同じもの（スライドショー機能を持たないもの）を用いて実質的にスライドショーを実現できる。またリモコン５６２を用いてデジタルカメラ５６０およびハードディスク付ＤＶＤレコーダ７０の双方を制御できるので、デジタルカメラ５６０とハードディスク付ＤＶＤレコーダ７０との通信状態を良好に保つような位置にデジタルカメラ５６０を置いたまま、上記したスライドショーを、大きな画面で、かつモニタ７４から適度に離れた位置で楽しむことができる。【０２３９】
−変形例−
この第３の実施の形態のシステムでは、コンテンツデータの送信装置としてデジタルカメラを用いている。しかし本発明はそのような実施の形態に限定されるわけではない。第１、第２の実施の形態と同様に携帯電話機を送信装置として用いても良いし、それ以外の装置、例えば携帯情報端末を送信装置として用いることもできる。【０２４０】
また、この実施の形態においても撮像部１９０に代えて、またはこれに加えて、不揮発性の着脱可能なメモリの装着部を設け、そうしたメモリからコンテンツデータを読出し、送信するようにしてもよい。【０２４１】
さらに、上記した実施の形態において、コンテンツデータを送信する装置で、コンテンツデータを表示しながらデータの送信を行なえば、送信装置側と受信装置側との双方で同期してスライドショーを実行することができる。この場合、送信装置として大きな表示装置を備えたものを用いれば、ケーブルを使わずに二つ以上の装置で同期して同じ画像を表示させることができる。さらにこの場合、それぞれの装置で表示される画像を別々のものにしたり、同じ画像を時間を変えて表示させたり、等多彩な使用方法が考えられる。【０２４２】
さらに、上記した第３の実施の形態では、デジタルカメラ５６０およびハードディスク付ＤＶＤレコーダ７０の双方を制御できるリモコン５６２を用いている。しかし本発明はそのような実施の形態には限定されない。例えばデジタルカメラ５６０またはハードディスク付ＤＶＤレコーダ７０に対しそれぞれ専用のリモコンを用いても良い。また、いずれかの装置について、リモコンを使用しないような実施の形態もあり得る。この場合、リモコンの持つ機能をデジタルカメラ５６０、ハードディスク付ＤＶＤレコーダ７０等の送信装置または受信装置に組込むことが好ましい。【０２４３】
−共通の変形例−
上記したいずれの実施の形態においても、送信するコンテンツデータとしては画像データ、動画データ、音楽データ以外の種々のコンテンツを利用できる。コンテンツデータの受信装置としては、ハードディスク付ＤＶＤレコーダとモニタ等の組合せに限らず、オーディオシステム、通信機能付のＴＶ受像機、携帯電話機、デジタルスチルカメラまたはデジタルビデオカメラ等のデジタルカメラ、携帯情報端末、プリンタ、カーナビゲーション装置等を用いることも可能である。好ましくは、録画機能をもつ装置（一般的にビデオレコーダと呼ばれる。）を用いるとよい。装置によっては組合せて、または単体で、ハードディスク付ＤＶＤレコーダ７０およびモニタ７４の機能と同様の機能を実現することもできる。なお、プリンタにコンテンツデータを送信する場合には、できるだけ解像度の高いデータを送ることが望ましいが、モニタ等の解像度の比較的低いデバイスにコンテンツデータを送信する際には、データの解像度を低くしてデータ量を少なくすることが好ましい。【０２４４】
上記した実施の形態ではＩｒＤＡ通信、無線ＬＡＮ、Ｂｌｕｅｔｏｏｔｈ（登録商標）等、双方向の通信が可能な媒体をデータ送信に利用したが、実質的に無手順でのデータ送信を用いてもよいことから明らかなとおり、送信装置から受信装置への一方向の伝送媒体を用いても良い。【０２４５】
上記した実施の形態では、送信装置は液晶表示装置を有している。しかし本発明はそのような実施の形態には限定されない。液晶表示装置以外にも種々の表示装置を利用できる。しかし、携帯電話機等の小型携帯情報端末に搭載される場合を考えると、液晶表示装置、有機ＥＬ（Ｅｌｅｃｔｒｏｌｕｍｉｎｅｓｃｅｎｃｅ）表示装置等、小型化に有利なデバイスが好ましい。【０２４６】
上記した各実施の形態で使用したケーブル７２は、モニタと受信装置との間の通信方式にあわせて適切なものを採用すればよい。例えばＮＴＳＣ（Ｎａｔｉｏｎａｌ  Ｔｅｌｅｖｉｓｉｏｎ  Ｓｔａｎｄａｒｄ  Ｃｏｍｍｉｔｔｅｅ）、ＤＶＩ（Ｄｉｇｉｔａｌ  Ｖｉｓｕａｌ  Ｉｎｔｅｒｆａｃｅ）等の表示用のケーブルが考えられる。【０２４７】
コンテンツデータとしては、静止画データ、動画データ（ＭＰＥＧが代表的なデジタルフォーマットであるが、その他どのようなフォーマットであってもよい。）、音楽データ（録音音声波形をエンコードしたものでも、所定の音源を用いることで楽曲の演奏が可能なデータでも、その他どのような形式のものでもよい。）、プログラム、制御パラメータを含むファイル、等どのようなものでも良い。【０２４８】
また上記実施の形態では、ハードディスク付ＤＶＤレコーダが放送を受信するための機能ブロックとしてＴＶチューナ３１２を用いている。しかしＴＶチューナ３１２は単なる一例であって、その他にも種々のコンテンツ受信装置を用いることができる。デジタル放送であれば、ＭＰＥＧ２のトランスポートストリームを抽出して、ＭＰＥＧ２をデコードする装置でもよい。デコードされたデータをモニタ７４で表示したり、外部機器または他の媒体に送ったり、図示しない印刷装置に与えて印刷したり、音楽を再生したりすることができる。【０２４９】
コンテンツデータは、データ量が多く、一度送信して受信装置側に蓄積されればいつでも利用可能である。一方、ユーザからのリクエストによる制御データは、コンテンツの再生方法の指定であることが多い。再生方法としては、早送り、巻戻し、拡大、縮小等がある。これらは、ユーザからの要求に応じ動作する必要があり、要求が発生するたびに制御データの送受信が発生する。そのデータ量は小さいが、その頻度は多い可能性がある。このように、コンテンツデータと制御データとは性質の異なるものである。よって、コンテンツデータの送受信に用いる通信方式と、制御データの送受信に用いる通信方式とに仮に双方が同じ媒体（例えば赤外線）を用いる場合でも、互いに異なる変調方式を採用することが望ましい。通信にはＢｌｕｅｔｏｏｔｈ（登録商標）、無線ＬＡＮ、ＩｒＤＡ、赤外線リモコン、携帯電話公衆網、Ｅｔｈｅｒｎｅｔ（登録商標）、ＩＰ（Ｉｎｔｅｒｎｅｔ  Ｐｒｏｔｏｃｏｌ）通信等各種の手法が存在するが、これらの組合せを適宜用いてコンテンツデータの送受信または制御データの送受信を実現してもよい。【０２５０】
また、上記した実施の形態では、コンテンツデータの送受信については実質的に無手順の通信方式を用いている。しかし本発明はそのような実施の形態には限定されず、コンテンツデータ通信の前に、機器の情報をやりとりしてネゴシエーションをする等することにより最適なデータフォーマットやサイズ等に送信側でデータを変換してもよいし、通信エラーに対処するためにエラーリカバリーを再送で行なってもよい。【０２５１】
また上記した実施の形態では、受信装置は複数のデータを蓄積できることを想定しているが、もちろん記憶装置の制約により、その数に上限を設けても良い。記憶装置としては不揮発性のものを用いても良いし、揮発性の物を用いても良い。また記憶されるデータ数の上限を超えたり、上限容量を越えたりする場合には、何らかのアルゴリズムにしたがって、蓄積されているデータのいずれかを消去するようにしても良い。【０２５２】
さらに、受信装置側で蓄積しているデータが静止画や動画である場合、時刻、時間等から判定をして、それをサムネールにして一覧表示し、その中から再生・表示するものを選択することも考えられる。【０２５３】
この場合には、
１）コンテンツデータを受信、
２）サムネール表示コマンドを受信、
３）コンテンツ属性に記載された時刻情報、コンテンツを受信した時刻情報等からコンテンツのグループを確定、
４）そのサムネールを作成して、全部または一部のサムネールを１画面にレイアウト、
５）サムネールと対応したコンテンツの表示コマンドを受信して、対応するコンテンツを再生、
という手順を実行すればよい。【０２５４】
なお、上記した実施の形態では、拡大、縮小を静止画について説明したが、動画についても同様に拡大、縮小により画像を小さくして送信することが考えられる。動画の場合にはさらに、動画のうち一部時間についてのデータを切出すことを送信機側で指定すれば、その部分だけを取出して受信機に送ることもできる。２時間の動画ファイルが存在する場合に、先頭から１時間の位置から始めて５分間の動画だけ送りたいというときには、全部を送るのではなく、切取ったファイルにして送るようにすればよい。【０２５５】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味および範囲内でのすべての変更を含む。
【産業上の利用可能性】
【０２５６】
この発明は、コンテンツを利用する二つ以上の装置、例えば携帯電話等の携帯情報端末と、ハードディスク付ＤＶＤレコーダ等の大容量の記憶装置を備えたコンテンツ再生装置とを連携させるシステムに利用できる。
【図１】
0004782689.tif 000002
【図２】
0004782689.tif 000003
【図３】
0004782689.tif 000004
【図４】
0004782689.tif 000005
【図５】
0004782689.tif 000006
【図６】
0004782689.tif 000007
【図７】
0004782689.tif 000008
【図８】
0004782689.tif 000009
【図９】
0004782689.tif 000010
【図１０】
0004782689.tif 000011
【図１１】
0004782689.tif 000012
【図１２】
0004782689.tif 000013
【図１３】
0004782689.tif 000014
【図１４】
0004782689.tif 000015
【図１５】
0004782689.tif 000016
【図１６】
0004782689.tif 000017
【図１７】
0004782689.tif 000018
【図１８】
0004782689.tif 000019
【図１９】
0004782689.tif 000020
【図２０】
0004782689.tif 000021
【図２１】
0004782689.tif 000022